(57)【要約】  通信装置および方法が提供される。通信装置は、別の通信装置から送信された複数のトランスポートブロック（ＴＢ）を、第１の期間において受信するように動作可能な受信機と、複数のフィードバックビットをそれぞれ受信したＴＢについて生成し、フィードバック情報を生成するために、フィードバックビットの数に従って、フィードバックビットの少なくとも一部に対して多重化およびバンドルのうちの少なくとも１つを実行するように動作可能な回路と、を備える。【選択図】図２Ａ
2020528225.tif 000002
【特許請求の範囲】
【請求項１】
サイドリンクを介して通信するように動作可能な通信装置であって、
別の通信装置から送信された複数のトランスポートブロック（ＴＢ）を、第１の期間において受信するように動作可能な受信機と、
複数のフィードバックビットをそれぞれ受信した前記ＴＢについて生成し、フィードバック情報を生成するために、前記フィードバックビットの数に従って、前記フィードバックビットの少なくとも一部に対して多重化およびバンドルのうちの少なくとも１つを実行するように動作可能な回路と、
を備える通信装置。
【請求項２】
前記回路が、生成器を含み、前記第１の期間において受信された前記ＴＢについて生成された前記フィードバックビットの前記数が、フィードバックチャネルのペイロードサイズよりも大きいときに、前記生成器が、前記フィードバックビットの第１の部分をバンドルしてバンドルされたフィードバックビットを生成し、フィードバックビットの第２の部分を多重化して多重化されたフィードバックビットを生成し、前記バンドルされたフィードバックビットと前記多重化されたフィードバックビットとを合成して、前記フィードバックチャネルにおいて送信される前記フィードバック情報を生成するように動作可能であり、前記フィードバックチャネルにおいて送信されるビットの前記数が、前記フィードバックチャネルの前記ペイロードサイズよりも大きくない、
請求項１に記載の通信装置。
【請求項３】
前記回路が、生成器を含み、前記フィードバックビットの前記数が、フィードバックチャネルのペイロードサイズよりも大きいときに、前記生成器が、前記フィードバック情報を生成するために、少なくとも２つのフィードバックビットのユニットにおいて前記フィードバックビットの全てをバンドルするように動作可能であり、前記フィードバックチャネルにおいて送信される前記フィードバックビットの数が、前記フィードバックチャネルの前記ペイロードサイズよりも大きくない、
請求項１に記載の通信装置。
【請求項４】
前記回路が、生成器を含み、前記フィードバックビットの前記数が、フィードバックチャネルのペイロードサイズよりも大きくないときに、前記生成器が、前記フィードバック情報を生成するために、前記複数のフィードバックビットを多重化するように動作可能である、
請求項１に記載の通信装置。
【請求項５】
前記フィードバック情報を送信するフィードバックタイミングに従って、前記フィードバック情報を送信するように動作可能な送信機をさらに備え、
前記回路が、前記フィードバックタイミングを判断するように動作可能な判断回路を含む、
請求項１に記載の通信装置。
【請求項６】
前記判断回路が、前記第１の期間において第１のスケジューリング割り当てリソースプール内に受信されたスケジューリング割り当てにおける指示情報に従って、前記フィードバックタイミングを判断するように動作可能である、
請求項５に記載の通信装置。
【請求項７】
判断回路が、前記第１の期間において受信された前記ＴＢに配分される第１のスケジューリング割り当てリソースプールのサブフレームおよび物理リソースブロック（ＰＲＢ）のうちの少なくとも１つのインデックスに従って、前記フィードバックタイミングを判断するように動作可能である、
請求項５に記載の通信装置。
【請求項８】
前記フィードバックタイミングが、前記第１の期間の後の第２の期間における第２のスケジューリング割り当てリソースプールのサブフレームセット内であると前記判断回路が判断したとき、前記送信機が、前記フィードバックタイミングに従って、前記第２のスケジューリング割り当てリソースプール内にサイドリンク制御情報（ＳＣＩ）のフォーマットで前記フィードバック情報を送信するように動作可能である、
請求項６または７に記載の通信装置。
【請求項９】
前記判断回路が、前記フィードバックタイミングがデータを送信するためのデータリソースプールのサブフレームセット内であると判断するように動作可能であり、前記送信機が、前記フィードバックタイミングに従って、前記データリソースプール内にメディアアクセス制御（ＭＡＣ）制御要素（ＣＥ）のフォーマットで前記フィードバック情報を搬送する前記データを送信するように動作可能である、
請求項５に記載の通信装置。
【請求項１０】
前記判断回路が、前記フィードバックタイミングがフィードバックチャネルのために構成または事前構成されたフィードバックリソースプールのサブフレームセット内であると判断するように動作可能であり、前記フィードバックリソースプールの少なくとも１つの送信ＰＲＢが、前記第１の期間において受信された第１のスケジューリング割り当てによって示される、
請求項５に記載の通信装置。
【請求項１１】
前記第１の期間の後の第２の期間におけるスケジューリング割り当てリソースプールの複数のＰＲＢが、前記フィードバックリソースプールとして構成または事前構成されると前記判断回路が判断したとき、前記送信機が、前記フィードバックリソースプール内の前記少なくとも１つの送信ＰＲＢにおいてサイドリンク制御情報（ＳＣＩ）のフォーマットで前記フィードバック情報を送信するように動作可能である、
請求項１０に記載の通信装置。
【請求項１２】
前記第１の期間におけるデータリソースプールの複数のＰＲＢが、前記フィードバックリソースプールとして構成または事前構成されると前記判断回路が判断したとき、前記送信機が、前記フィードバックリソースプール内の前記少なくとも１つの送信ＰＲＢにおいてＭＡＣ  ＣＥのフォーマットで前記フィードバック情報を送信するように動作可能である、
請求項１０に記載の通信装置。
【請求項１３】
前記判断回路が、前記フィードバック情報を送信するために配分されたスケジューリング割り当てリソースプールの複数の固定ＰＲＢを判断するように動作可能であり、前記送信機が、前記スケジューリング割り当てリソースプール内の前記固定ＰＲＢにおいて、サイドリンク制御情報（ＳＣＩ）のフォーマットで前記フィードバック情報を送信するように動作可能である、
請求項５に記載の通信装置。
【請求項１４】
サイドリンクを介した通信のための通信方法であって、
別の通信装置から送信された複数のトランスポートブロック（ＴＢ）を、第１の期間において受信することと、
複数のフィードバックビットをそれぞれ前記第１の期間において受信した前記ＴＢについて生成することと、
フィードバック情報を生成するために、前記フィードバックビットの数に従って、前記フィードバックビットの少なくとも一部に対して多重化およびバンドルのうちの少なくとも１つを実行することと、
を含む通信方法。
【請求項１５】
サイドリンクを介して通信するように動作可能な通信装置であって、
複数の送信ブロック（ＴＢ）を別の通信装置に送信するように動作可能な送信機と、
前記別の通信装置からフィードバック情報を受信するように動作可能な受信機と、
前記フィードバック情報に応答して、前記ＴＢの一部を再送信するように前記送信機を制御するように動作可能な回路と、を備え、
前記フィードバック情報が、前記別の通信装置によって、フィードバックビットの数に従って複数の前記フィードバックビットの少なくとも一部に対して多重化およびバンドルのうちの少なくとも１つを実行することにより生成され、前記フィードバックビットが、第１の期間において前記別の通信装置によって受信される前記ＴＢについてそれぞれ生成される、
通信装置。
【請求項１６】
サイドリンクを介した通信のための通信方法であって、
送信機によって、複数の送信ブロック（ＴＢ）を通信装置に送信することと、
前記通信装置からフィードバック情報を受信することと、
前記フィードバック情報に応答して、前記ＴＢの一部を再送信するように前記送信機を制御することと、を含み、
前記フィードバック情報が、前記通信装置によって、フィードバックビットの数に従って複数の前記フィードバックビットの少なくとも一部に対して多重化およびバンドルのうちの少なくとも１つを実行することにより生成され、前記フィードバックビットが、第１の期間において前記通信装置によって受信される前記ＴＢについてそれぞれ生成される、
通信方法。
【発明の詳細な説明】
【技術分野】
【０００１】
本技術は、ワイヤレス通信分野に関し、より詳細には、フィードバック情報を通信するための通信装置および通信方法に関する。
【背景技術】
【０００２】
デバイスツーデバイスのさらなる拡張（ＦｅＤ２Ｄ）は、ウェアラブルデバイス／モノのインターネット（ＩｏＴ）デバイスと、中継ユーザ機器（ＵＥ）との間の通信を最適化することを目標とする作業項目である。現在のサイドリンク関連標準において、ハイブリッド自動再送要求（ＨＡＲＱ）手順の間は、フィードバックに対して物理レイヤが指定されない。したがって、このようなＨＡＲＱフィードバックは、ＦｅＤ２Ｄにおいて議論されるトピックの１つであり、改善されることが目標とされる。
【発明の概要】
【発明が解決しようとする課題】
【０００３】
１つの非限定的かつ例示的実施形態が、不必要な再送信を回避すること、および通信性能を効果的に改善することを促進する。
【課題を解決するための手段】
【０００４】
１つの概略的態様において、それは、別の通信装置から送信された複数のトランスポートブロック（ＴＢ）を、第１の期間において受信するように動作可能な受信機と、複数のフィードバックビットをそれぞれ受信したＴＢについて生成し、フィードバック情報を生成するために、フィードバックビットの数に従って、フィードバックビットの少なくとも一部に対して多重化およびバンドルのうちの少なくとも１つを実行するように動作可能な回路と、を備える、サイドリンクを介して通信するように動作可能な通信装置を提供することである。
【０００５】
別の概略的態様において、それは、別の通信装置から送信された複数のトランスポートブロック（ＴＢ）を、第１の期間において受信することと、複数のフィードバックビットをそれぞれ第１の期間において受信したＴＢについて生成することと、フィードバック情報を生成するために、フィードバックビットの数に従って、フィードバックビットの少なくとも一部に対して多重化およびバンドルのうちの少なくとも１つを実行することと、を含む、サイドリンクを介した通信のための通信方法を提供することである。
【０００６】
別の概略的態様において、それは、複数の送信ブロック（ＴＢ）を別の通信装置に送信するように動作可能な送信機と、別の通信装置からフィードバック情報を受信するように動作可能な受信機と、フィードバック情報に応答して、ＴＢの一部を再送信するように送信機を制御するように動作可能な回路と、を備え、フィードバック情報が、別の通信装置によって、フィードバックビットの数に従って複数のフィードバックビットの少なくとも一部に対して多重化およびバンドルのうちの少なくとも１つを実行することにより生成され、フィードバックビットが、第１の期間において別の通信装置によって受信されるＴＢについてそれぞれ生成される、サイドリンクを介した通信を実行するように動作可能な通信装置を提供することである。
【０００７】
別の概略的態様において、送信機によって、複数の送信ブロック（ＴＢ）を通信装置に送信することと、通信装置からフィードバック情報を受信することと、フィードバック情報に応答して、ＴＢの一部を再送信するように送信機を制御することと、を含み、フィードバック情報が、通信装置によって、フィードバックビットの数に従って複数のフィードバックビットの少なくとも一部に対して多重化およびバンドルのうちの少なくとも１つを実行することにより生成され、フィードバックビットが、第１の期間において通信装置によって受信されるＴＢについてそれぞれ生成される、サイドリンクを介した通信のための通信方法を提供することである。
【０００８】
概略的な、または特定の実施形態は、システム、方法、集積回路、コンピュータプログラム、記憶媒体、またはそれらの任意の選択的組み合わせとして、実装され得ることに留意すべきである。
【０００９】
開示される実施形態の追加的な恩恵および利点は、明細書および図面から明らかとなる。恩恵および／または利点は、明細書および図面の多様な実施形態および特徴によって個別に取得され得る。明細書および図面は、そのような恩恵および／または利点のうちの１つまたは複数を取得するために全てが提供される必要はない。
【図面の簡単な説明】
【００１０】
【図１Ａ】本開示の実施形態による通信方式を適用する適用シナリオの例を概略的に示す図である。
【図１Ｂ】本開示の実施形態による通信方式を適用する適用シナリオの例を概略的に示す図である。
【図２Ａ】本開示の実施形態による通信装置の例のブロック図を概略的に示す図である。
【図２Ｂ】本開示の実施形態による通信装置の例のブロック図を概略的に示す図である。
【図３】本開示の実施形態によるスケジューリング割り当て（ＳＡ）期間の例を概略的に示す図である。
【図４Ａ】本開示の実施形態によるフィードバック情報を生成する動作を概略的に示す図である。
【図４Ｂ】本開示の実施形態によるフィードバック情報を生成する動作を概略的に示す図である。
【図４Ｃ】本開示の実施形態によるフィードバック情報を生成する動作を概略的に示す図である。
【図５Ａ】本開示の実施形態による通信装置の例のブロック図を概略的に示す図である。
【図５Ｂ】本開示の実施形態による通信装置の例のブロック図を概略的に示す図である。
【図６】本開示の実施形態において、フィードバック情報を送信するタイミングを判断するための動作、およびタイミングに従ってフィードバック情報を送信するための動作の例を概略的に示す図である。
【図７】本開示の別の実施形態において、フィードバック情報を送信するタイミングを判断するための動作、およびタイミングに従ってフィードバック情報を送信するための動作の例を概略的に示す図である。
【図８Ａ】本開示の別の実施形態において、フィードバック情報を送信するタイミングを判断するための動作、およびタイミングに従ってフィードバック情報を送信するための動作の例を概略的に示す図である。
【図８Ｂ】本開示の別の実施形態において、フィードバック情報を送信するタイミングを判断するための動作、およびタイミングに従ってフィードバック情報を送信するための動作の例を概略的に示す図である。
【図９】本開示の別の実施形態において、フィードバック情報を送信するタイミングを判断するための動作、およびタイミングに従ってフィードバック情報を送信するための動作の例を概略的に示す図である。
【図１０】本発明の実施形態による通信装置の詳細を示すブロック図を概略的に示す図である。
【図１１】本開示の実施形態による通信装置の例のブロック図を概略的に示す図である。
【図１２】本発明の実施形態による通信装置の詳細を示すブロック図を概略的に示す図である。
【図１３】本開示の実施形態による、サイドリンクを介した通信装置と別の通信装置との間の通信のフローチャートの例を概略的に示す図である。
【図１４】本発明の実施形態による通信方法のフローチャートを概略的に示す図である。
【図１５】本発明の実施形態による通信方法のフローチャートを概略的に示す図である。
【発明を実施するための形態】
【００１１】
実施形態は、ここで図面を参照して説明され、それは、通信方法、装置、およびシステムに関する。本技術は、多くの異なる形態および多くの異なる順序で具現化されてもよく、本明細書に明記された実施形態に限定されると解釈されるべきではないと理解される。むしろ、これらの実施形態は、本開示が、完全かつ完成したものとなり、当業者に本技術を完全に伝達するように提供される。実際に、本技術は、これらの実施形態の代替物、修正物、および均等物を包含するように意図され、それらは、添付の特許請求の範囲によって定義される本技術の範囲および趣旨の中に含まれる。さらに、本技術の以下の詳細な説明では、本技術の完全な理解をもたらすために、多数の具体的詳細が明記されている。しかしながら、当業者には、本技術がそのような具体的詳細なしに実施され得ることが明らかであろう。
【００１２】
方法のステップの順序、およびコンポーネントの構造は、限定のためではなく例示の目的で、本明細書において提供される。以下の技術の詳細な説明は、例示および説明の目的で提示される。それは、網羅的であること、または開示された正確な形態に技術を限定することを意図するものではない。多くの修正および変形が、上記教示に照らして可能である。説明される実施形態は、多様な実施形態において、および考えられる特定の用途に適している様々な修正を用いて、他の当業者が技術を最もよく利用することをそれによって可能にするために、技術の原理、およびその実際の適用を最もよく説明するために選択される。技術の範囲が、本明細書に添付された特許請求の範囲によって定義されると意図される。
【００１３】
Ｌｏｎｇ  Ｔｅｒｍ  Ｅｖｏｌｕｔｉｏｎ（ＬＴＥ）通信システムなどの現在の通信システムでは、受信機において、送信機から受信したそれぞれのトランスポートブロック（ＴＢ）に対応して、それぞれのフィードバックビットが判断され、受信機は、ＨＡＲＱ手順においてフィードバック情報を生成するために、フィードバックビットに対してバンドルまたは多重化のいずれかを実行する。バンドルまたは多重化のいずれを実行するかは、送信機から受信した無線リソース制御（ＲＲＣ）シグナリングによって構成され、それは、半静的フィードバックモードと呼ばれる。しかしながら、ＦｅＤ２Ｄにおいては、期間中に受信したＴＢの数が非常に多い場合があるため、そのような半静的フィードバックモード（バンドルまたは多重化のいずれか）は、適当ではなく、または柔軟性がないことがある。期間内に受信したＴＢの数が比較的多いときに、受信機が、フィードバック情報を生成するためにバンドルを実行する場合、受信したＴＢの数においてただ１つのＴＢ内のエラーが、全てのＴＢを再送信させることすらあり得る。一方、エラーなしにうまく受信された他のＴＢは、再送信の必要がなく、よって、全てのＴＢを再送信することが、不必要な再送信を引き起こし、通信リソースを浪費し、通信性能を劣化させる。受信機が多重化を実行する場合、フィードバック情報のビット数が、フィードバックチャネルのペイロードサイズを超えるとき、通信性能は重大な影響を受ける。
【００１４】
図１Ａおよび図１Ｂは、本開示の実施形態による通信方式を適用する適用シナリオの例を概略的に示す。
【００１５】
図１Ａに示すように、適用シナリオは、基地局、中継ＵＥ、ならびにリモートＵＥ１およびリモートＵＥ２などの複数のリモートＵＥ（例えば、ＩｏＴデバイス）を含む。中継ＵＥは、アップリンクおよびダウンリンクを介して双方向モードで基地局と通信し、データ（例えば、ユーザデータ）およびシグナリングをリモートＵＥに送信すること、ならびに／またはデータ（例えば、ユーザデータ）およびシグナリングをリモートＵＥから受信することによって、サイドリンクを介して双方向モードでリモートＵＥと通信する。本開示の実施形態による通信方法は、サイドリンクを介してフィードバック情報を通信するための、図１Ａに示す適用シナリオに適用され得る。
【００１６】
図１Ｂに示すように、適用シナリオは、基地局１および基地局２などの複数の基地局、ならびに中継ＵＥを含む。中継ＵＥは、アップリンクおよびダウンリンクを介して双方向モードで複数の基地局と通信する。また、データは、中継ＵＥと基地局との間で、配分されるリソースブロックにおいて通信され得る。リソースブロックは、周波数領域における連続するサブキャリアにまたがるリソースエレメントのグループ、および時間領域におけるスロットである。
【００１７】
基地局が、進化型ノードＢ（ｅＮＢ）、ｇＮＢ、および異なる通信標準における他の種類の基地局と呼ばれ得ることに留意すべきである。
【００１８】
図２Ａは、本開示の実施形態による通信装置２００の例のブロック図を概略的に示す。
【００１９】
１つの実施形態において、通信装置２００は、サイドリンクを介して中継ＵＥ（図１Ａに示す）などの別の通信装置から、シグナリングおよびデータ（例えば、ユーザデータ）を受信するための、図１Ａに示すリモートＵＥであってもよい。別の実施形態において、通信装置２００は、ダウンリンクを介して基地局からシグナリングおよびデータ（例えば、ユーザデータ）を受信するための、図１Ｂに示す中継ＵＥであってもよい。別の実施形態において、通信装置は、サイドリンクを介してリモートＵＥなどの別の通信装置からシグナリングおよびデータ（例えば、ユーザデータ）を受信するための中継ＵＥであってもよい。
【００２０】
図２Ａに示すように、通信装置２００は、受信機２１０、および回路２３０を含む。実施形態において、受信機２１０は、別の通信装置から送信された複数のトランスポートブロック（ＴＢ）を、第１の期間において受信するように動作可能であり、回路２３０は、複数のフィードバックビットをそれぞれ受信されたＴＢについて生成し、フィードバック情報を生成するために、フィードバックビットの数に従って、フィードバックビットの少なくとも一部に対して多重化およびバンドルのうちの少なくとも１つを実行するように動作可能である。
【００２１】
１つの実施形態において、受信機２１０は、異なる期間においてＴＢを受信し得る。期間の例は、Ｄ２Ｄシナリオ（図１Ａに示すシナリオなど）において、中継ＵＥとリモートＵＥとの間の通信のためのスケジューリング割り当て（ＳＡ）期間であってもよい。すなわち、Ｄ２Ｄにおいて、期間は、ＳＡ期間であってもよい。
【００２２】
図３は、本開示の実施形態によるスケジューリング割り当て（ＳＡ）期間の例を概略的に示す。
【００２３】
通信装置２００は、別の通信装置、例えば、外部送信機から送信されたＳＡおよび／またはＴＢを受信し得る。
【００２４】
図３に示すように、各ＳＡ期間において、通信装置２００（例えば、図１Ａに示すリモートＵＥ）との通信を実行する外部送信機（例えば、図１Ａに示す中継ＵＥ）の視点から、外部送信機は、ＳＡリソースプール内でスケジューリング割り当て（ＳＡ、図面においてドットで満たされたブロックとして示される）を送信し、第１のＳＡ期間におけるデータリソースプール内で複数のトランスポートブロック（ＴＢ、図面において空白のブロックとして示される）を送信する。外部送信機は、サイドリンク制御情報（ＳＣＩ）のフォーマットでＳＡを送信する。ＳＡリソースプールは、外部送信機によってＳＡ（または物理サイドリンク制御チャネル、ＰＳＣＣＨ）を送信するための時間および周波数リソースである。データリソースプールは、外部送信機によってＴＢ（またはＰＳＳＣＨ）を送信するための時間および周波数リソースである。外部送信機は、別のＳＡリソースプール内で別のＳＡを送信し、第１のＳＡ期間後の第２のＳＡリソース期間において、別のデータリソースプール内で複数のさらなるトランスポートブロック（ＴＢ、図面において空白のブロックで示される）を送信する。
【００２５】
通信装置２００（例えば、図１Ａに示すリモートＵＥ）の視点から、受信機２１０は、ＳＡリソースプール内で外部送信機から送信された、図３に示すＳＡ（図面においてドットで満たされたブロックとして示される）を受信し、第１のＳＡ期間におけるデータリソースプール内で外部送信機から送信された複数のトランスポートブロック（ＴＢ、図３において空白のブロックとして示される）を受信する。受信機２１０は、サイドリンク制御情報（ＳＣＩ）のフォーマットでＳＡを受信する。第１のＳＡ期間後の第２のＳＡリソース期間において、受信機２１０は、別のＳＡリソースプール内で外部送信機から送信されたＳＡを受信し、別のデータリソースプール内で外部送信機から送信された複数のトランスポートブロック（ＴＢ、図面において空白のブロックとして示される）を受信する。
【００２６】
２つのＳＡ期間が、図３に示されているが、図３に示されるＳＡ期間は、例示的な目的のみのためであり、他の数のＳＡ期間が、本明細書で利用可能である。
【００２７】
図２Ａを再び参照すると、回路２３０は、複数のフィードバックビットをそれぞれ第１の期間において受信したＴＢについて生成し、フィードバック情報を生成するために、フィードバックビットの数に従って、フィードバックビットの少なくとも一部に対して多重化およびバンドルのうちの少なくとも１つを実行するように動作可能である。１つの実施形態において、受信したＴＢごとに、回路２３０は、ＴＢの受信が成功したかどうかを示すフィードバックビットを生成してもよい。例えば、フィードバックビット「１」は、ＴＢの受信が成功したことを示し、フィードバックビット「０」は、受信したＴＢが不成功である、例えば、いくつかのエラーがある、または受信に成功しなかったことを示す。
【００２８】
回路２３０は、受信したＴＢについてそれぞれフィードバックビットに対して処理を実行することによって、受信したＴＢの状態を示すフィードバック情報を生成する。実施形態では、回路２３０は、フィードバック情報を生成するために、フィードバックビットの数に従って、フィードバックビットの少なくとも一部に対して多重化およびバンドルのうちの少なくとも１つを実行し得る。
【００２９】
１つの実施形態において、回路２３０は、図２Ｂの例に示されるように、生成器２３２および判断回路２３４を含み得る。図２Ｂに示される、図２Ａと類似の機能を有する要素は、同一のラベルが付され、簡潔性および明確性のために本明細書において繰り返し説明されない。
【００３０】
１つの実施形態において、判断回路２３４は、フィードバック情報を送信するタイミングを判断するように動作可能である。判断回路２３４の詳細な動作は、図６〜９を参照して詳細に説明される。
【００３１】
生成器２３２は、フィードバックビットに対して処理を実行することによって、受信したＴＢの状態を示すフィードバック情報を生成し得る。実施形態では、生成器２３２は、フィードバック情報を生成するために、フィードバックビットの数に従って、フィードバックビットの少なくとも一部に対して多重化およびバンドルのうちの少なくとも１つを実行し得る。
【００３２】
フィードバック情報を生成する生成器２３２の動作は、図４Ａ〜４Ｃを参照して説明され、図４Ａ〜４Ｃは、本開示の実施形態によるフィードバック情報を生成する動作を概略的に示す。
【００３３】
実施形態において、第１の期間において受信されたＴＢについて生成されたフィードバックビットの数が、フィードバックチャネルのペイロードサイズよりも大きいときに、生成器２３２は、フィードバックビットの第１の部分をバンドルしてバンドルされたフィードバックビットを生成し、フィードバックビットの第２の部分を多重化して多重化されたフィードバックビットを生成し、バンドルされたフィードバックビットと多重化されたフィードバックビットとを合成して、フィードバック情報を生成する。１つの実施形態において、フィードバック情報は、フィードバックチャネルにおいて送信され、フィードバックチャネルにおいて送信されるビット数は、フィードバックチャネルのペイロードサイズよりも大きくない。
【００３４】
図４Ａを参照すると、期間（ＳＡ期間）内に受信機２１０によって受信された８個のＴＢ（ＴＢ１〜ＴＢ８）について生成された８個のフィードバックビットを例とする。１つの実施形態において、フィードバックビット「１」は、ＴＢの受信が成功したことを示し、フィードバックビット「０」は、受信したＴＢが不成功であることを示す。この状況において、ＴＢ３およびＴＢ７は、図４Ａの例に示されるように、受信に成功していない。フィードバックチャネルのペイロードサイズがフィードバックビットの数よりも小さい場合、ペイロードサイズを５と仮定すると、生成器２３２は、「ＡＮＤ」演算を使用してフィードバックビット（「１１０１」）の第１の部分をバンドルして、バンドルされたフィードバックビット（「０」）を生成してもよく、フィードバックビット（「１１０１」）の第２の部分を多重化して、多重化されたフィードバックビット（「１１０１」）を生成し、バンドルされたフィードバックビットと多重化されたフィードバックビットとを合成して、フィードバック情報（「０１１０１」）を生成する。したがって、フィードバックチャネルにおいて送信されるビット数は、フィードバックチャネルのペイロードサイズよりも大きくなく、全てのＴＢの代わりにＴＢ１〜ＴＢ４およびＴＢ７だけが再送信される必要がある。
【００３５】
代替的には、生成器２３２は、また、「ＡＮＤ」演算を使用してフィードバックビット（「１１０１」）の第２の部分をバンドルして、バンドルされたフィードバックビット（「０」）を生成し、フィードバックビット（「１１０１」）の第１の部分を多重化して、多重化されたフィードバックビット（「１１０１」）を生成し、バンドルされたフィードバックビットと多重化されたフィードバックビットとを合成して、フィードバック情報（「１１０１０」）を生成し得る。
【００３６】
図４Ａに示される実施形態は、例示の目的のみであり、通信要件に応じて他の変形が利用可能である。例えば、フィードバックビットの数および各部分に含まれるビット数は、通信要件に応じて変化し得る。さらに、多重化およびバンドルを実行するシーケンスもまた、通信要件に応じて変化し得る。フィードバックビットの数は、図４Ａに示されるように８に限定されず、通信要件に応じて変化し得る。
【００３７】
有利なことに、期間において受信したＴＢが比較的大きい状況では、フィードバック情報を生成するために、フィードバックビットの一部を多重化すること、およびフィードバックビットの一部をバンドルすることによって、フィードバックチャネルにおいて送信されるフィードバック情報のビット数が、フィードバックチャネルのペイロードサイズを超えず、不必要な再送信が回避され、通信性能が効果的に改善され得る。
【００３８】
実施形態において、フィードバックビットの数が、フィードバックチャネルのペイロードサイズよりも大きいときに、生成器２３２は、フィードバック情報を生成するために、少なくとも２つのフィードバックビットのユニットにおいてフィードバックビットの全てをバンドルし得る。フィードバックビットの数は、ユニット間で同一であってもよく、または変化してもよい。
【００３９】
図４Ｂに示すように、期間（ＳＡ期間）内に受信機２１０によって受信された８個のＴＢ（ＴＢ１〜ＴＢ８）について、８個のフィードバックビットが生成される。ＴＢ７は、図４Ｂの例に示されるように、受信に成功していない。フィードバックチャネルのペイロードサイズが、フィードバックビットの数よりも小さい場合、ペイロードサイズを５と仮定すると、生成器２３２は、フィードバック情報を生成するために、少なくとも２つのフィードバックビットのユニットにおいて「ＡＮＤ」演算を使用して全てのフィードバックビットをバンドルする。図４Ｂに示すように、生成器２３２は、４個のフィードバックビット（「１１１１」）をバンドルして、バンドルされたビット「１」を生成し、別の４個のフィードバックビット（「１１０１」）をバンドルして、バンドルされたビット「０」を生成する。生成器２３２は、バンドルされたビットを合成して、ＴＢの受信状態を示すフィードバック情報（「１０」）を生成する。フィードバックチャネルにおいて送信されるビット数は、フィードバックチャネルのペイロードサイズよりも大きくない。フィードバック情報によれば、ＴＢ４〜ＴＢ７のみが再送信される必要がある。
【００４０】
図４Ｂに示す実施形態は、例示の目的のみであり、各ユニットにおいてバンドルするフィードバックビットは、互いに等しくなくてもよく、通信要件に応じて変化してもよい。フィードバックビットの数は、図４Ｂに示されるように８に限定されず、通信要件に応じて変化し得る。
【００４１】
有利なことに、期間において受信したＴＢが比較的大きい状況では、フィードバック情報を生成するために少なくとも２つのフィードバックビットのユニットにおいて全てのフィードバックビットをバンドルすることによって、フィードバックチャネルにおいて送信されるフィードバック情報のビット数が、フィードバックチャネルのペイロードサイズを超えず、不必要な再送信が回避され、通信性能が効果的に改善され得る。
【００４２】
実施形態において、フィードバックビットの数が、フィードバックチャネルのペイロードサイズよりも大きくないとき、生成器２３２は、フィードバック情報を生成するために、複数のフィードバックビットを多重化する。
【００４３】
図４Ｃを参照すると、期間（ＳＡ期間）内に受信機２１０によって受信された８個のＴＢ（ＴＢ１〜ＴＢ８）について、８個のフィードバックビットが生成される。ＴＢ７は、図４Ｃの例に示されるように、受信に成功していない。フィードバックチャネルのペイロードサイズが、フィードバックビットの数よりも大きい場合、ペイロードサイズを１０と仮定すると、生成器２３２は、フィードバック情報を生成するために、全てのフィードバックビットを多重化する。図４Ｃに示すように、生成器２３２は、全てのフィードバックビット（「１１１１１１０１」）を多重化して、フィードバック情報（「１１１１１１０１」）を生成する。フィードバックチャネルにおいて送信されるビット数は、フィードバックチャネルのペイロードサイズよりも大きくない。さらに、フィードバック情報によれば、ＴＢ７だけが再送信される必要があり、したがって、通信遅延は極めて減少し、通信装置の電力が効果的に節約される。
【００４４】
有利なことに、フィードバック情報を生成するために、フィードバックビットの数に従ってフィードバックビットに対して多重化およびバンドルのうちの少なくとも１つを実行することによって、不必要な再送信が回避され、通信遅延が減少し、フィードバックの通信性能および柔軟性が、極めて改善され得る。
【００４５】
図４Ｃに示す実施形態は、例示の目的のみであり、通信要件に応じて他の変形が利用可能である。例えば、フィードバックビットの数は、図４Ｃに示されるように８に限定されず、通信要件に応じて変化し得る。
【００４６】
フィードバック情報を生成する動作は、図１Ａに示すシナリオに限定されず、図１Ｂに示すシナリオにも適用する。すなわち、図１Ｂに示す中継ＵＥが、図４Ａ〜４Ｃを参照して上述したような方式に従ってフィードバック情報を生成し、その結果、生成されたフィードバック情報を基地局に送信し得る。上述した利点も、同様に達成され得る。
【００４７】
図５Ａは、本開示の実施形態による通信装置５００の例を概略的に示す。
【００４８】
通信装置５００は、受信機２１０、回路２３０、および送信機５５０を含む。１つの実施形態において、通信装置５００は、サイドリンクリンクを介して中継ＵＥからシグナリングおよびデータ（例えば、ユーザデータ）を受信するための、図１Ａに示すリモートＵＥであってもよい。図２Ａと類似の機能を有する要素は、同一のラベルが付され、簡潔性および明確性のために本明細書において繰り返し説明されない。
【００４９】
１つの実施形態において、受信機２１０は、別の通信装置から送信された複数のトランスポートブロック（ＴＢ）を、第１の期間において受信するように動作可能であり、回路２３０は、複数のフィードバックビットをそれぞれ受信したＴＢについて生成し、フィードバック情報を生成するために、フィードバックビットの数に従って、フィードバックビットの少なくとも一部に対して多重化およびバンドルのうちの少なくとも１つを実行するように動作可能である。
【００５０】
図５Ａに示す送信機５５０は、フィードバック情報を送信するタイミングに従ってフィードバック情報を送信し、実施形態において、回路２３０は、フィードバック情報を送信するタイミングを判断する。
【００５１】
１つの実施形態において、通信装置５００によってフィードバック情報を送信するタイミングは、フィードバック情報が時間領域において送信されるサブフレーム、またはフィードバック情報が周波数領域において送信される物理リソースを表す。フィードバック情報を送信するタイミングを判断するための動作、およびタイミングに従ってフィードバック情報を送信するための動作が、図６〜９を参照して説明される。
【００５２】
図５Ｂは、本開示の実施形態による通信装置５００の例のブロック図を概略的に示す。通信装置５００は、受信機２１０、回路２３０、および送信機５５０を含む。回路２３０は、生成器２３２および判断回路２３４を含み得る。図５Ａと類似の機能を有する要素は、同一のラベルが付され、簡潔性および明確性のために本明細書において繰り返し説明されない。
【００５３】
受信機２１０および生成器２３２の動作は、図４Ａ〜４Ｃを参照して説明されており、したがって、その詳細については、明確性および簡潔性のため省略する。
【００５４】
１つの実施形態において、回路２３０の判断回路２３４は、第１の期間において第１のＳＡリソースプール内で受信されたスケジューリング割り当て（ＳＡ）における指示情報に従って、フィードバック情報を送信するタイミングを判断する。１つの実施形態において、第１の期間は、ＳＡ期間であり、受信機２１０は、ＳＡリソースプール内でスケジューリング割り当て（ＳＡ、図３においてドットで満たされたブロックとして示される）を受信し、データリソースプール内で複数のトランスポートブロック（ＴＢ、図３において空白ブロックとして示される）を受信する。１つの実施形態において、受信機２１０は、サイドリンク制御情報（ＳＣＩ）のフォーマットでＳＡを受信し、ＳＣＩのフィールドは、タイミングを明示的に示す指示情報を含む。回路２３０の判断回路２３４は、指示情報に従ってフィードバック情報を送信するタイミングを判断する。
【００５５】
図６を参照すると、ＳＡリソースプール内で受信されたＳＣＩのフィールドが、タイミングが第１の期間後の第２の期間における第２のＳＡリソースプールのサブフレームセット内であることを示す指示情報を含む場合、送信機５５０は、タイミングに従って、第２のＳＡリソースプール内にサイドリンク制御情報（ＳＣＩ）のフォーマットでフィードバック情報（図６の黒いブロックとして示される）を送信する。例えば、ＳＣＩフォーマットは、ＨＡＲＱ確認応答（ＨＡＲＱ−ＡＣＫ）のフィールドまたはフィードバック情報を表す復号状態のフィールドを含んでもよい。したがって、送信機５５０は、第２のＳＡ期間における第２のＳＡリソースプール内で、ＳＣＩのフォーマットでフィードバック情報を送信する。
【００５６】
有利なことに、ＳＡにおいてタイミングを明示的に示すことによって、通信装置によりフィードバック情報を送信するタイミング判断の柔軟性が改善される。さらに、送信機５５０は、ＳＣＩのフォーマットで、ＳＡリソースプール内でフィードバック情報を送信する。したがって、物理フィードバックレイヤを指定する必要がなく、それによって通信互換性が改善され得る。
【００５７】
別の実施形態において、回路２３０の判断回路２３４は、第１の期間内に受信されたＴＢに配分される第１のＳＡリソースプールのサブフレームおよび物理リソースブロック（ＰＲＢ）のうちの少なくとも１つのインデックスに従ってタイミングを判断する。実施形態において、回路２３０の判断回路２３４は、インデックスに従ってタイミングを判断してもよく、関係、例えば、ｊ＝ｉ＋ｎ（ｎは整数である）に従って、第１のＳＡリソースプールのサブフレームおよびＰＲＢのうちの少なくとも１つのインデックスｉ（ｉは整数である）を、フィードバック情報の送信を開始するためのリソースプールのＰＲＢのマッピングインデックスｊ（ｊは整数である）にマッピングしてもよい。１つの実施形態において、判断回路２３４は、インデックスに従って、タイミングが、第１の期間後の第２の期間における第２のＳＡリソースプールのサブフレームセット内であると判断してもよく、マッピング関係に従ってＰＲＢのマッピングインデックスを判断し、第２のＳＡリソースプールのマッピングインデックスで始まるＰＲＢにおいてフィードバック情報を送信する。
【００５８】
例えば、図６を参照すると、別の通信装置が、第１のＳＡ期間内にインデックス０を有するサブフレーム＃０においてＳＡの送信を開始する場合、回路２３０の判断回路２３４は、インデックスに従って、タイミングが、第１の期間後の第２の期間における第２のＳＡリソースプールのサブフレームセット内であると判断し、送信機５５０は、第２のＳＡリソースプールのマッピングインデックス１を有するＰＲＢ＃１から始まるフィードバック情報（図６において黒いブロックとして示される）を送信する。マッピングインデックスは、マッピング関係、例えば、ｊ＝ｉ＋ｎ、ｎ＝１に従って取得される。送信機５５０は、ＳＣＩのフォーマットでフィードバック情報を送信する。実施形態において、ＳＣＩフォーマットは、ＨＡＲＱ−ＡＣＫのフィールドまたはフィードバック情報を表す復号状態のフィールドを含んでもよい。したがって、送信機５５０は、第２のＳＡ期間における第２のＳＡリソースプール内で、ＳＣＩのフォーマットでフィードバック情報を送信する。
【００５９】
有利なことに、受信したＴＢに配分されるサブフレームおよび物理リソースブロック（ＰＲＢ）のうちの少なくとも１つのインデックスに従って、タイミングを非明示的に示すことによって、ＳＡオーバヘッドが節約され得る。さらに、送信機５５０は、ＳＣＩのフォーマットで、ＳＡリソースプール内でフィードバック情報を送信する。したがって、物理フィードバックレイヤを指定する必要がなく、通信互換性が改善され得る。
【００６０】
別の実施形態において、回路２３０の判断回路２３４は、タイミングが、データを送信するためのデータリソースプールのサブフレームセット内であると判断し、送信機５５０は、タイミングに従って、データリソースプール内でメディアアクセス制御（ＭＡＣ）制御要素（ＣＥ）のフォーマットでフィードバック情報を搬送するデータを送信する。
【００６１】
図７を参照すると、実施形態において、通信装置５００は、ＳＡリソースプール内のＳＡ、および別の通信装置（例えば、外部送信機）によって送信されたデータリソースプール内のＴＢを、第１の期間において受信する。同時に、通信装置５００は、データリソースプール内でサイドリンクを介して外部送信機にデータを送信し得る。通信装置５００によって送信されたデータは、受信したＴＢの状態を示すフィードバック情報を搬送し得る。したがって、回路２３０の判断回路２３４は、タイミングが、データを送信するためのデータリソースプールのサブフレームセット内であると判断し、送信機５５０は、タイミングに従って、データリソースプール内でメディアアクセス制御（ＭＡＣ）制御要素（ＣＥ）のフォーマットでフィードバック情報（図７において黒いブロックとして示される）を搬送するデータを送信する。１つの実施形態において、ＭＡＣ  ＣＥは、ＨＡＲＱ−ＡＣＫまたは前のＳＡ期間において受信したＴＢの状態を示す復号状態のフィールドを含み得る。
【００６２】
有利なことに、データリソースプール内でデータとともにフィードバック情報を送信することによって、ＳＡオーバヘッドが節約され得る。さらに、送信機５５０は、ＭＡＣ  ＣＥのフォーマットで、データリソースプール内でフィードバック情報を送信する。物理フィードバックレイヤを指定する必要がなく、通信互換性が改善され得る。
【００６３】
実施形態において、フィードバックリソースプールは、フィードバックチャネルについて構成または事前構成され得る。回路２３０の判断回路２３４は、フィードバック情報を送信するためのタイミングが、フィードバックリソースプールのサブフレームセット内であると判断し得る。実施形態において、フィードバック情報を送信するためのフィードバックリソースプールの少なくとも１つの送信ＰＲＢは、第１の期間において受信された第１のスケジューリング割り当て（ＳＡ）によって示され得る。
【００６４】
実施形態において、フィードバック情報を送信するためのフィードバックリソースプールの送信ＰＲＢは、第１のＳＡ期間において受信されたＳＡ内で情報を示すことによって示される。通信装置５００の受信機２１０は、ＳＣＩフォーマットでＳＡを受信し、ＳＣＩフォーマットは、フィードバックリソースプールの少なくとも１つの送信ＰＲＢを示すフィールドを含む。
【００６５】
別の実施形態において、フィードバックリソースプールの少なくとも１つの送信ＰＲＢは、第１のＳＡ期間において受信されたＳＡによって非明示的に示される。例えば、フィードバックリソースプールの送信ＰＲＢは、第１の期間において受信されたＴＢに配分されたサブフレームおよび物理リソースブロック（ＰＲＢ）のうちの少なくとも１つのインデックスに従って示される。例えば、サブフレームおよび物理リソースブロック（ＰＲＢ）のうちの少なくとも１つのインデックスｐ（ｐは整数である）は、関係、例えば、ｑ＝ｐ＋ｄ（ｄは整数である）に従って送信ＰＲＢのインデックスｑ（ｑは整数である）にマッピングされてもよい。
【００６６】
図８Ａを参照すると、フィードバックリソースプールは、第１のＳＡ期間においてデータリソースプールに続いて構成または事前構成される。すなわち、第１の期間後の第２の期間における第２のＳＡリソースプールの複数のＰＲＢは、フィードバックリソースプールとして構成または事前構成される。判断回路２３４は、タイミングがフィードバックリソースプールのサブフレームセット内であると判断し、第１のＳＡ期間において受信されたＳＡ内の指示情報が、フィードバックリソースプールの少なくとも１つの送信ＰＲＢを示す。送信機５５０は、少なくとも１つの送信ＰＲＢにおいてフィードバックリソースプールで、サイドリンク制御情報（ＳＣＩ）のフォーマットでフィードバック情報（図８Ａにおいて黒いブロックとして示される）を送信する。１つの実施形態において、ＳＣＩは、ＨＡＲＱ−ＡＣＫまたは前の期間において受信したＴＢの状態を示す復号状態のフィールドを含み得る。
【００６７】
図８Ｂを参照すると、フィードバックリソースプールは、第１のＳＡ期間の終わりにデータリソースプールに続いて構成または事前構成される。すなわち、第１のＳＡ期間におけるデータリソースプールの複数のＰＲＢが、フィードバックリソースプールとして構成または事前構成される。判断回路２３４は、タイミングがフィードバックリソースプールのサブフレームセット内であると判断し、第１の期間内に受信したＴＢに配分されるサブフレームおよび物理リソースブロック（ＰＲＢ）のうちの少なくとも１つのインデックスは、フィードバックリソースプールの送信ＰＲＢを示す。例えば、サブフレームおよび物理リソースブロック（ＰＲＢ）のうちの少なくとも１つのインデックスｐ（ｐは整数である）は、関係、例えば、ｑ＝ｐ＋ｄ（ｄは整数である）に従って、送信ＰＲＢのインデックスｑ（ｑは整数である）にマッピングされ得る。送信機５５０は、第１のＳＡ期間内の少なくとも１つの送信ＰＲＢにおけるフィードバックリソースプール内で、ＭＡＣ  ＣＥのフォーマットでフィードバック情報（図８Ｂにおいて黒いブロックとして示される）を送信する。１つの実施形態において、ＭＡＣ  ＣＥは、ＨＡＲＱ−ＡＣＫまたは前の期間において受信したＴＢの状態を示す復号状態のフィールドを含み得る。
【００６８】
有利なことに、フィードバックチャネルについてのフィードバックリソースプールを構成または事前構成することによって、フィードバックチャネルが保護され、通信の信頼性が改善され得る。
【００６９】
別の実施形態において、ＳＡリソースプールの複数の固定ＰＲＢが、フィードバック情報を送信するために配分され、送信機５５０は、スケジューリング割り当てリソースプール内の固定ＰＲＢにおいてＳＣＩのフォーマットでフィードバック情報を送信する。
【００７０】
図９を参照すると、第２のＳＡリソースプールの複数の固定ＰＲＢ（例えば、第１の２つのサブフレーム内のＰＲＢ）が、フィードバック情報（図９において黒いブロックとして示される）を送信するために配分され、送信機５５０は、第２のＳＡ期間内の固定ＰＲＢにおいてＳＣＩのフォーマットでフィードバック情報を送信する。ＳＣＩは、ＨＡＲＱ−ＡＣＫまたは前の期間において受信したＴＢの状態を示す復号状態のフィールドを含み得る。
【００７１】
有利なことに、フィードバック情報を送信するための固定ＰＲＢを配分することによって、フィードバックの周波数／タイミングが判断され、したがって、ＳＡにおいて明示的に示す必要はなく、それによってＳＡオーバヘッドが節約され得る。また、物理フィードバックレイヤを指定する必要がないため、通信互換性が改善され得る。
【００７２】
図１０は、本発明の実施形態による通信装置５００の例の詳細を示すブロック図を概略的に示す。通信装置５００は、受信機２１０、回路２３０、および送信機５５０を含み得る。図５Ｂと類似の機能を有する要素は、同一のラベルが付され、簡潔性および明確性のために本明細書において繰り返し説明されない。
【００７３】
通信装置５００の回路２３０は、符号化器１０２０、変調器１０３０、信号割り当て器１０４０、信号逆多重化器１０５０、復調器１０６０、復号器１０７０、誤り検出器１０８０、生成器２３２、および判断回路２３４を含み得る。
【００７４】
これらの構成要素のうち、送信機５５０は、主に図５Ａ〜５Ｂに示す送信機５５０として機能し、回路２３０は、主に回路２３０として機能し、受信機２１０は、主に図５Ａ〜５Ｂに示される受信機２１０として機能する。説明を複雑にすることを避けるために、この場合、本実施形態の特徴に密接に関係する、フィードバック情報の送信に関連する構成要素が、主に示されている。
【００７５】
受信機２１０は、アンテナからデータを受信する。例えば、受信機２１０は、別の通信装置から送信された複数のトランスポートブロック（ＴＢ）を、第１の期間において受信するように動作可能である。
【００７６】
信号逆多重化器１０５０は、受信したデータを高速フーリエ変換（ＦＦＴ）によって逆多重化し、逆多重化されたデータを復調器１０６０に送信する。復調器１０６０は、逆多重化されたデータを復調して、復調されたデータを生成する。復号器１０７０は、復調されたデータを復号し、誤り検出器１０８０は、チェック手順（例えば、巡回冗長検査（ＣＲＣ））を実行して、受信したデータをチェックする。
【００７７】
１つの実施形態において、誤り検出器１０８０は、フィードバック情報を生成するために、受信したデータを生成器２３２に送信する。生成器２３２は、複数のフィードバックビットをそれぞれ受信したＴＢについて生成し、フィードバックビットの数に従って、フィードバックビットの少なくとも一部に対して多重化およびバンドルのうちの少なくとも１つを実行し得る。フィードバック情報を生成するための生成器２３２の詳細な動作は、図４Ａ〜４Ｃを参照して詳細に説明されており、したがって、その詳細については、明確性および簡潔性のため省略する。
【００７８】
符号化器１０２０は、フィードバック情報および送信データを符号化して符号化された信号を取得し、変調器１０３０は、符号化された信号を変調して変調された信号を取得し、信号割り当て器１０４０は、変調された信号にリソースを割り当て、送信機５５０は、データおよびフィードバック情報を含む信号を送信する。１つの実施形態において、回路２３０の判断回路２３４は、本発明の実施形態によるフィードバック情報を送信するタイミングを判断する（タイミングを判断する詳細な動作は、図６〜９を参照して説明されており、したがって、その詳細は、明確性および簡潔性のために省略する）。信号割り当て器１０４０は、判断回路２３４によって判断されたタイミングに従って、フィードバック情報をリソースにマッピングする。それによって、送信機５５０は、タイミングに従ってフィードバック情報を送信する。
【００７９】
図１０は、部品を示し、すなわち、符号化器１０２０、変調器１０３０、信号割り当て器１０４０、信号逆多重化器１０５０、復調器１０６０、復号器１０７０、および誤り検出器１０８０が、回路２３０内にあるが、これは、限定ではなく単なる例であり、実際には、例えば、統合された部品のうちの１つまたは複数が、通信装置の要件に応じて回路２３０から分離され得ることに留意すべきである。
【００８０】
図１０は、生成器２３２および判断回路２３４を別々のユニットで示しているが、これは、限定ではなく単なる例であることに留意すべきである。例えば、生成器２３２および判断回路２３４は、ユニット内にあってもよく、もしくは集積回路として互いに統合されてもよく、または、それらは、他の形態であってもよい。
【００８１】
図１１は、本開示の実施形態による通信装置１１００の例のブロック図を概略的に示す。１つの実施形態において、通信装置１１００は、サイドリンクを介してシグナリングおよびデータ（例えば、ユーザデータ）を別の通信装置、例えば中継ＵＥに送信するための、図１Ａに示される中継ＵＥであってもよい。
【００８２】
図１１を参照すると、通信装置１１００は、送信機１１１０、回路１１２０、および受信機１１３０を含む。送信機１１１０は、複数の送信ブロック（ＴＢ）を別の通信装置に送信する。受信機１１３０は、別の通信装置からフィードバック情報を受信し、回路１１２０は、フィードバック情報に応答して別の通信装置に以前送信されたＴＢの一部を再送信するように送信機１１１０を制御する。フィードバック情報が、別の通信装置によって、フィードバックビットの数に従って複数のフィードバックビットの少なくとも一部に対して多重化およびバンドルのうちの少なくとも１つを実行することにより生成され、フィードバックビットが、第１の期間において別の通信装置によって受信されるＴＢについてそれぞれ生成される。
【００８３】
１つの実施形態では、別の通信装置は、図５Ｂに示される通信装置５００であってもよい。
【００８４】
１つの実施形態において、第１の期間におけるフィードバックビットの数が、フィードバックチャネルのペイロードサイズよりも大きいときに、別の通信装置５００の回路２３０は、フィードバックビットの第１の部分をバンドルしてバンドルされたフィードバックビットを生成し、フィードバックビットの第２の部分を多重化して多重化されたフィードバックビットを生成し、バンドルされたフィードバックビットと多重化されたフィードバックビットとを合成して、フィードバック情報を生成する。フィードバック情報を生成する動作は、図４Ａを参照して説明されており、したがって、その詳細については、明確性および簡潔性のため省略する。
【００８５】
送信機１１１０は、フィードバックチャネルからフィードバック情報を受信し、フィードバックチャネルから受信されるビット数は、フィードバックチャネルのペイロードサイズよりも大きくない。
【００８６】
別の実施形態において、フィードバックビットの数が、フィードバックチャネルのペイロードサイズよりも大きいときに、別の通信装置５００内の回路２３０の生成器２３２は、フィードバック情報を生成するために、少なくとも２つのフィードバックビットのユニットにおいてフィードバックビットの全てをバンドルする。フィードバック情報を生成する動作は、図４Ｂを参照して説明されており、したがって、その詳細については、明確性および簡潔性のため省略する。
【００８７】
送信機１１１０は、フィードバックチャネルからフィードバック情報を受信し、フィードバックチャネルから受信されるビット数は、フィードバックチャネルのペイロードサイズよりも大きくない。
【００８８】
別の実施形態において、フィードバックビットの数が、フィードバックチャネルのペイロードサイズよりも大きくないときに、別の通信装置５００内の回路２３０の生成器２３２は、フィードバック情報を生成するために、フィードバックビットを多重化する。フィードバック情報を生成する動作は、図４Ｃを参照して説明されており、したがって、その詳細については、明確性および簡潔性のため省略する。
【００８９】
有利なことに、フィードバック情報を生成するために、フィードバックビットの数に従って、フィードバックビットに対して多重化およびバンドルのうちの少なくとも１つを実行することによって、不必要な再送信が回避され、通信遅延が減少し、フィードバックの通信性能および柔軟性が、極めて改善され得る。
【００９０】
実施形態において、別の通信装置は、タイミングに従ってフィードバック情報を送信する。
【００９１】
より具体的には、別の通信装置５００内の回路２３０の判断回路２３４は、第１の期間における第１のスケジューリング割り当てリソースプール内で受信されたスケジューリング割り当てにおける指示情報に従って、タイミングを判断し得る。代替的には、別の通信装置５００内の回路２３０の判断回路２３４は、受信したＴＢに配分された第１のスケジューリング割り当てリソースプールのサブフレームおよび物理リソースブロック（ＰＲＢ）のうちの少なくとも１つのインデックスに従って、タイミングを判断してもよい。
【００９２】
タイミングが第１の期間後の第２の期間における第２のスケジューリング割り当てリソースプールのサブフレームセット内であると別の通信装置５００の判断回路２３４が判断したとき、別の通信装置５００の送信機５５０が、タイミングに従って第２のスケジューリング割り当てリソースプール内にサイドリンク制御情報（ＳＣＩ）のフォーマットでフィードバック情報を送信するように動作可能である。フィードバック情報を送信するタイミングを判断するための動作、およびフィードバック情報を送信するための動作は、図６を参照して説明されており、その詳細については、明確性および簡潔性のため省略する。
【００９３】
有利なことに、通信装置１１００（例えば、中継ＵＥ）について、ＳＣＩのフォーマットで、ＳＡリソースプール内でフィードバック情報を受信することによって、物理フィードバックレイヤを指定する必要がなく、その通信互換性が改善され得る。
【００９４】
１つの実施形態において、別の通信装置５００内の回路２３０の判断回路２３４は、タイミングが、データを送信するためのデータリソースプールのサブフレームセット内であると判断し得る。別の通信装置５００の送信機５５０は、タイミングに従って、データリソースプール内でメディアアクセス制御（ＭＡＣ）制御要素（ＣＥ）のフォーマットでフィードバック情報を搬送するデータを送信するように動作可能である。フィードバック情報を送信するタイミングを判断するための動作、およびフィードバック情報を送信するための動作は、図７を参照して説明されており、その詳細については、明確性および簡潔性のため省略する。
【００９５】
有利なことに、通信装置１１００（例えば、中継ＵＥ）について、データリソースプール内でフィードバック情報を有するデータを受信することによって、ＳＡオーバヘッドが節約され得る。さらに、物理フィードバックレイヤを指定する必要がないため、通信互換性が改善され得る。
【００９６】
１つの実施形態において、フィードバックリソースプールは、フィードバックチャネルについて構成または事前構成され、別の通信装置５００内の回路２３０の判断回路２３４は、タイミングがフィードバックリソースプールのサブフレームセット内であると判断し得る。フィードバック情報を送信するためのフィードバックリソースプールの少なくとも１つの送信ＰＲＢは、第１の期間において別の通信装置５００の受信機２１０によって受信された第１のスケジューリング割り当て（ＳＡ）によって示され得る。
【００９７】
例えば、第１の期間後の第２の期間におけるスケジューリング割り当てリソースプールの複数の物理リソースブロック（ＰＲＢ）が、フィードバックリソースプールとして構成または事前構成されるとき、別の通信装置５００の送信機５５０は、フィードバックリソースプール内の少なくとも１つの送信ＰＲＢにおいてサイドリンク制御情報（ＳＣＩ）のフォーマットでフィードバック情報を送信する。第１の期間におけるデータリソースプールの複数のＰＲＢが、フィードバックリソースプールとして構成または事前構成されるとき、別の通信装置５００の送信機５５０は、フィードバックリソースプール内の少なくとも１つの送信ＰＲＢにおいてＭＡＣ  ＣＥのフォーマットでフィードバック情報を送信する。タイミングおよび送信ＰＲＢを判断するための動作、ならびにフィードバック情報を送信するための動作は、図８Ａ〜８Ｂを参照して説明されており、その詳細については、明確性および簡潔性のため省略する。
【００９８】
有利なことに、フィードバックチャネルについてのフィードバックリソースプールを構成または事前構成することによって、フィードバックチャネルが保護され、通信の信頼性が改善され得る。
【００９９】
別の実施形態において、スケジューリング割り当てリソースプールの複数の固定ＰＲＢが、フィードバック情報を送信するために配分され、別の通信装置５００の送信機５５０は、スケジューリング割り当てリソースプール内の固定ＰＲＢにおいて、サイドリンク制御情報（ＳＣＩ）のフォーマットでフィードバック情報を送信し得る。フィードバック情報を送信するタイミングを判断するための動作、およびフィードバック情報を送信するための動作は、図９を参照して説明されており、その詳細については、明確性および簡潔性のため省略する。
【０１００】
有利なことに、フィードバック情報を送信するための固定ＰＲＢを配分することによって、フィードバックの周波数／タイミングが判断され、したがって、ＳＡにおいて明示的に示す必要はなく、それによってＳＡオーバヘッドが節約され得る。また、物理フィードバックレイヤを指定する必要がないため、その結果、通信互換性が改善され得る。
【０１０１】
図１２は、本発明の実施形態による通信装置１１００の詳細を示すブロック図を概略的に示す。通信装置１１００は、送信機１１１０、回路１１２０、および受信機１１３０を含み得る。図１１と類似の機能を有する要素は、同一のラベルが付され、簡潔性および明確性のために本明細書において繰り返し説明されない。
【０１０２】
１つの実施形態において、通信装置１１００の回路１１２０は、符号化器１２２０、変調器１２３０、信号割り当て器１２４０、再送信コントローラ１２５０、信号逆多重化器１２６０、復調器１２７０、および復号器１２８０を含み得る。
【０１０３】
これらの構成要素のうち、送信機１１１０は、主に図１１に示す送信機１１１０として機能し、回路１１２０は、主に回路１１２０として機能し、受信機１１３０は、主に図１１に示す受信機１１３０として機能する。説明を複雑にすることを避けるために、この場合、本実施形態の特徴に密接に関係する、フィードバック情報に応答した再送信に関連する構成要素が、主に示されている。
【０１０４】
受信機１１３０は、アンテナを介して別の通信装置（例えば、図１０に示す通信装置５００）によって送信されたデータおよびフィードバック情報を受信する。フィードバック情報を生成する詳細な動作、および別の通信装置５００によってフィードバック情報を送信する詳細な動作は、上記で詳細に説明されており、その詳細については、明確性および簡潔性のため省略する。
【０１０５】
信号逆多重化器１２６０は、受信したデータおよびフィードバック情報を逆多重化して信号を生成し、逆多重化された信号を復調器１２７０に送信する。復調器１２７０は、復調された信号を生成するために、逆多重化された信号を復調した。復号器１２８０は、復調された信号を復号して、受信したデータおよびフィードバックを取り戻す。
【０１０６】
１つの実施形態において、復号器１２８０は、受信したフィードバック情報を、トランスポートブロック（ＴＢ）の一部の再送信を制御するための再送信コントローラ１２５０に送信する。再送信コントローラ１２５０は、符号化器１２２０に連結される。符号化器１２２０は、送信データおよび制御情報を受信する。１つの実施形態において、制御情報は、リソース配分情報、フィードバック方法などを示す。符号化器１２２０は、送信データおよび制御情報を符号化して、符号化されたデータおよび制御情報を取得する。再送信コントローラ１２５０は、符号化器１２２０に連結され、復号器１２８０から受信したフィードバック情報に従って、符号化されたデータを変調器１２３０に出力する。例えば、フィードバック情報が、ＴＢの受信が成功したこと、すなわち、「ＡＣＫ」を示すとき、再送信コントローラ１２５０は、前の送信データとして記憶された符号化済みデータをフラッシュし、符号化器１２２０から新たな送信データとして符号化済みデータを出力する。フィードバック情報が、ＴＢの受信が成功しなかった、すなわち、「ＮＡＣＫ」を示すとき、再送信コントローラ１２５０は、再送信データとして記憶された符号化済みデータを出力し、それは、前の送信データのものとは異なる冗長性を有し得る。
【０１０７】
変調器１２３０は、符号化済みデータおよび符号化済み制御情報を変調して変調済みデータおよび変調済み制御情報を取得し、信号割り当て器１２４０は、リソースを変調済みデータおよび制御情報に割り当て、送信機１１１０は、データおよび制御情報を通信装置（例えば、図１０に示す通信装置５００）に送信する。
【０１０８】
図１２は、部品を示し、すなわち、符号化器１２２０、変調器１２３０、信号割り当て器１２４０、再送信コントローラ１２５０、信号逆多重化器１２６０、復調器１２７０、および復号器１２８０が、回路１１２０内にあるが、これは、限定ではなく単なる例であり、実際には、例えば、統合された部品のうちの１つまたは複数が、通信装置の要件に応じて回路１１２０から分離され得ることに留意すべきである。
【０１０９】
図１３は、本開示の実施形態による、サイドリンクを介した第１の通信装置と別の通信装置との間の通信のフローチャートの例を概略的に示す。実施形態において、通信装置は、中継ＵＥ３２００であってもよく、別の通信装置は、リモートＵＥ３１００であってもよい。リモートＵＥ３１００は、図５Ａ〜５Ｂを参照して説明するように、受信機２１０、回路２３０、および送信機５５０を含んでもよい。回路２３０は、生成器２３２および判断回路２３４を含み、中継ＵＥ３２００は、図１１を参照して説明するように、送信機１１１０、回路１１２０、および受信機１１３０を含んでもよい。
【０１１０】
ステップ１０１として、中継ＵＥ３２００は、接続手順においてリモートＵＥ３１００に接続する。接続は、既知の、または将来開発される方法を実装することによって確立されてもよく、その詳細は、本明細書では省略する。
【０１１１】
ステップＳＴ１０２において、中継ＵＥ３２００は、リモートＵＥ３１００への送信のためにリソース（例えば、物理リソースブロック、ＰＲＢ）を配分する。
【０１１２】
ステップＳＴ１０３において、中継ＵＥ３２００は、リモートＵＥ３１００へデータ（トランスポートブロック、ＴＢ）およびシグナリングを送信する。より具体的には、中継ＵＥ３２００は、ＳＡリソースプール内でスケジューリング割り当て（ＳＡ）を送信し、データリソースプール内でＴＢを送信する。リモートＵＥ３１００は、ＳＡリソースプール内でＳＡを受信し、異なる期間（ＳＡ期間）におけるデータリソースプール内でＴＢを受信する。
【０１１３】
ステップＳＴ１０４において、リモートＵＥ３１００における回路２３０の生成器２３２は、複数のフィードバックビットをそれぞれ受信したＴＢについて生成する。各フィードバックビットは、対応する受信したＴＢの状態を示す。
【０１１４】
ステップＳＴ１０５において、リモートＵＥ３１００における回路２３０の生成器２３２は、フィードバックビットの数に従って、フィードバックビットの少なくとも一部に対して多重化およびバンドルのうちの少なくとも１つを実行することによって、フィードバック情報を生成する。フィードバック情報を生成するための動作は、図４Ａ〜４Ｃを参照して上記で詳細に説明されており、したがって、詳細については、明確性および簡潔性のため省略する。
【０１１５】
ステップＳＴ１０６において、リモートＵＥ３１００の送信機５５０は、タイミングに従って、サイドリンクを介して中継ＵＥ３２００にフィードバック情報を送信する。１つの実施形態において、リモートＵＥ３１００内の回路２３０の判断回路２３４は、フィードバック情報を送信するタイミングを判断する。フィードバック情報を送信するタイミングを判断するための動作、およびタイミングに従ってフィードバック情報を送信するための動作は、図６〜９を参照して詳細に説明されており、したがって、詳細については、明確性および簡潔性のため省略する。
【０１１６】
ステップＳＴ１０７において、中継ＵＥ３２００は、リモートＵＥ３１００への再送信のためにリソース（例えば、ＰＲＢ）を配分する。ステップＳＴ１０８において、中継ＵＥ３２００は、フィードバック情報に従ってリモートＵＥ３１００に以前送信されたＴＢの一部を再送信する。
【０１１７】
ステップＳＴ１０１〜ＳＴ１０８は、各ＳＡ期間において繰り返し実行され得る。
【０１１８】
図１４は、本発明の実施形態によるワイヤレス通信方法１４００のフローチャートを概略的に示す。
【０１１９】
サイドリンクを介して通信するための通信方法は、ステップ１４２０、別の通信装置から送信された複数のトランスポートブロック（ＴＢ）を、第１の期間において受信することと、ステップ１４４０、複数のフィードバックビットをそれぞれ第１の期間において受信されたＴＢについて生成することと、ステップ１４６０、フィードバック情報を生成するために、フィードバックビットの数に従って、フィードバックビットの少なくとも一部に対して多重化およびバンドルのうちの少なくとも１つを実行することと、を含む。
【０１２０】
実施形態において、第１の期間において受信されたＴＢについて生成されたフィードバックビットの数が、フィードバックチャネルのペイロードサイズよりも大きいとき、複数のフィードバックビットの少なくとも一部に対して多重化およびバンドルのうちの少なくとも１つを実行するステップは、フィードバックビットの第１の部分をバンドルして、バンドルされたフィードバックビットを生成することと、フィードバックビットの第２の部分を多重化して、多重化されたフィードバックビットを生成することと、バンドルされたフィードバックビットと多重化されたフィードバックビットとを合成して、フィードバックチャネルにおいて送信されるフィードバック情報を生成することと、を含み、フィードバックチャネルにおいて送信されるビット数が、フィードバックチャネルのペイロードサイズよりも大きくない。
【０１２１】
実施形態において、フィードバックビットの数が、フィードバックチャネルのペイロードサイズよりも大きいとき、複数のフィードバックビットの少なくとも一部に対して多重化およびバンドルのうちの少なくとも１つを実行するステップは、フィードバック情報を生成するために、少なくとも２つのフィードバックビットのユニットでフィードバックビットの全てをバンドルすることを含み、フィードバックチャネルにおいて送信されるビット数が、フィードバックチャネルのペイロードサイズよりも大きくない。
【０１２２】
実施形態において、フィードバックビットの数が、フィードバックチャネルのペイロードサイズよりも大きくないとき、複数のフィードバックビットの少なくとも一部に対して多重化およびバンドルのうちの少なくとも１つを実行するステップは、フィードバック情報を生成するために、複数のフィードバックビットを多重化することを含む。
【０１２３】
有利なことに、フィードバック情報を生成するために、フィードバックビットの数に従って、フィードバックビットに対して多重化およびバンドルのうちの少なくとも１つを実行することによって、不必要な再送信が回避され、通信遅延が減少し、フィードバックの通信性能および柔軟性が、極めて改善され得る。
【０１２４】
実施形態において、方法は、フィードバック情報を送信するタイミングを判断することと、タイミングに従ってフィードバック情報を送信することと、をさらに含む。
【０１２５】
実施形態において、フィードバック情報を送信するタイミングを判断するステップは、第１の期間における第１のスケジューリング割り当てリソースプール内で受信されたスケジューリング割り当てにおける指示情報に従って、タイミングを判断することを含む。
【０１２６】
実施形態において、フィードバック情報を送信するタイミングを判断するステップは、第１の期間において受信されたＴＢに配分される第１のスケジューリング割り当てリソースプールのサブフレームおよび物理リソースブロック（ＰＲＢ）のうちの少なくとも１つのインデックスに従って、タイミングを判断することを含む。
【０１２７】
実施形態において、タイミングが第１の期間後の第２の期間における第２のスケジューリング割り当てリソースプールのサブフレームセット内であると判断されるとき、フィードバック情報を送信するステップは、タイミングに従って第２のスケジューリング割り当てリソースプール内にサイドリンク制御情報（ＳＣＩ）のフォーマットでフィードバック情報を送信することを含む。
【０１２８】
有利なことに、ＳＣＩのフォーマットで、ＳＡリソースプール内でフィードバック情報を受信することによって、物理フィードバックレイヤを指定する必要がなく、したがって、通信互換性が改善され得る。
【０１２９】
実施形態において、タイミングが、データを送信するためのデータリソースプールのサブフレームセット内であると判断されるとき、フィードバック情報を送信するステップは、タイミングに従ってデータリソースプール内で、メディアアクセス制御（ＭＡＣ）制御要素（ＣＥ）のフォーマットでフィードバック情報を搬送するデータを送信することを含む。
【０１３０】
有利なことに、データリソースプール内でデータとともにフィードバック情報を送信することによって、ＳＡオーバヘッドが節約され得る。さらに、物理フィードバックレイヤを指定する必要がなく、したがって、その通信互換性が改善され得る。
【０１３１】
実施形態において、通信方法は、フィードバックチャネルについてフィードバックリソースプールを構成または事前構成することをさらに含み、タイミングが、フィードバックリソースプールのサブフレームセット内であると判断され、フィードバック情報を送信するためのフィードバックリソースプールの少なくとも１つの送信ＰＲＢは、第１の期間において受信された第１のスケジューリング割り当てによって示される。
【０１３２】
実施形態において、フィードバックチャネルについてフィードバックリソースプールを構成または事前構成するステップは、フィードバックリソースプールとして第１の期間後の第２の期間においてスケジューリング割り当てリソースプールの複数のＰＲＢを構成または事前構成することを含み、フィードバック情報通信方法を送信するステップは、フィードバックリソースプール内の少なくとも１つの送信ＰＲＢにおいてサイドリンク制御情報（ＳＣＩ）のフォーマットでフィードバック情報を送信することを含む。
【０１３３】
実施形態において、フィードバックチャネルについてフィードバックリソースプールを構成または事前構成するステップは、フィードバックリソースプールとして第１の期間においてデータリソースプールの複数のＰＲＢを構成または事前構成することを含み、フィードバック情報を送信するステップは、フィードバックリソースプール内の少なくとも１つの送信ＰＲＢにおいてＭＡＣ  ＣＥのフォーマットでフィードバック情報を送信することを含む。
【０１３４】
有利なことに、フィードバックチャネルについてのフィードバックリソースプールを構成または事前構成することによって、フィードバックチャネルがより良く保護され、通信の信頼性が改善され得る。
【０１３５】
実施形態において、通信方法は、フィードバック情報を送信するために配分されるスケジューリング割り当てリソースプールの複数の固定ＰＲＢを判断することをさらに含み、フィードバック情報を送信するステップは、スケジューリング割り当てリソースプール内の固定ＰＲＢにおいて、サイドリンク制御情報（ＳＣＩ）のフォーマットでフィードバック情報を送信することを含む。
【０１３６】
有利なことに、フィードバック情報を送信するための固定ＰＲＢを配分することによって、フィードバックの周波数／タイミングが判断され、したがって、ＳＡにおいて明示的に示す必要はなく、それによってＳＡオーバヘッドが節約され得る。また、物理フィードバックレイヤを指定する必要がないため、通信互換性が改善される。
【０１３７】
図１５は、本発明の実施形態によるワイヤレス通信方法１５００のフローチャートを概略的に示す。
【０１３８】
実施形態において、通信方法は、ステップ１５２０、送信機によって、複数の送信ブロック（ＴＢ）を通信装置に送信することと、ステップ１５４０、通信装置からフィードバック情報を受信することと、ステップ１５６０、フィードバック情報に応答して、ＴＢの一部を再送信するように送信機を制御することと、を含み、フィードバック情報が、通信装置によって、フィードバックビットの数に従って複数のフィードバックビットの少なくとも一部に対して多重化およびバンドルのうちの少なくとも１つを実行することにより生成され、フィードバックビットが、第１の期間において通信装置によって受信されるＴＢについてそれぞれ生成される。
【０１３９】
実施形態において、第１の期間におけるフィードバックビットの数が、フィードバックチャネルのペイロードサイズよりも大きいときに、フィードバック情報は、フィードバックビットの第１の部分をバンドルしてバンドルされたフィードバックビットを生成すること、フィードバックビットの第２の部分を多重化して多重化されたフィードバックビットを生成すること、およびバンドルされたフィードバックビットと多重化されたフィードバックビットとを合成することによって生成され、フィードバック情報は、フィードバックチャネルから受信され、フィードバックチャネルから受信されるビット数は、フィードバックチャネルのペイロードサイズよりも大きくない。
【０１４０】
実施形態において、フィードバックビットの数が、フィードバックチャネルのペイロードサイズよりも大きいときに、フィードバック情報は、少なくとも２つのフィードバックビットのユニットにおいてフィードバックビットの全てをバンドルすることによって生成され、フィードバック情報は、フィードバックチャネルから送信機によって受信され、フィードバックチャネルから受信されるビット数は、フィードバックチャネルのペイロードサイズよりも大きくない。
【０１４１】
実施形態において、フィードバックビットの数が、フィードバックチャネルのペイロードサイズよりも大きくないとき、フィードバック情報は、複数のフィードバックビットを多重化することによって生成される。
【０１４２】
有利なことに、フィードバック情報を生成するために、フィードバックビットの数に従って、フィードバックビットに対して多重化およびバンドルのうちの少なくとも１つを実行することによって、不必要な再送信が回避され、通信遅延が減少し、フィードバックの通信性能および柔軟性が、極めて改善され得る。
【０１４３】
実施形態において、フィードバック情報は、タイミングに従って通信装置から送信される。
【０１４４】
実施形態において、タイミングは、第１の期間における第１のスケジューリング割り当てリソースプール内に通信装置によって受信したスケジューリング割り当てにおける指示情報に従って判断される。
【０１４５】
実施形態において、タイミングは、第１の期間において通信装置によって受信されたＴＢに配分される第１のスケジューリング割り当てリソースプールのサブフレームおよび物理リソースブロック（ＰＲＢ）のうちの少なくとも１つのインデックスに従って判断される。
【０１４６】
実施形態において、タイミングが第１の期間後の第２の期間における第２のスケジューリング割り当てリソースプールのサブフレームセット内であると判断されるとき、フィードバック情報は、タイミングに従って第２のスケジューリング割り当てリソースプール内にサイドリンク制御情報（ＳＣＩ）のフォーマットで、通信装置により送信される。
【０１４７】
有利なことに、ＳＣＩのフォーマットで、ＳＡリソースプール内でフィードバック情報を送信することによって、物理フィードバックレイヤを指定する必要がなく、したがって、その通信互換性が改善され得る。
【０１４８】
実施形態において、タイミングが、通信装置によってデータを送信するためのデータリソースプールのサブフレームセット内であると判断され、通信装置は、タイミングに従ってデータリソースプール内で、メディアアクセス制御（ＭＡＣ）制御要素（ＣＥ）のフォーマットでフィードバック情報を搬送するデータを送信するように動作可能である。
【０１４９】
有利なことに、データリソースプール内でデータとともにフィードバック情報を送信することによって、ＳＡオーバヘッドが節約され得る。さらに、物理フィードバックレイヤを指定する必要がないため、通信互換性が改善され得る。
【０１５０】
実施形態において、タイミングは、フィードバックチャネルに対して構成または事前構成されたフィードバックリソースプールのサブフレームセット内であると判断され、フィードバックリソースプールの少なくとも１つの送信ＰＲＢが、第１の期間において通信装置によって受信された第１のスケジューリング割り当てによって示される。
【０１５１】
実施形態において、第１の期間後の第２の期間におけるスケジューリング割り当てリソースプールの複数のＰＲＢが、フィードバックリソースプールとして構成または事前構成されるとき、フィードバック情報は、フィードバックリソースプール内の少なくとも１つの送信ＰＲＢにおいて、サイドリンク制御情報（ＳＣＩ）のフォーマットで通信装置によって送信される。
【０１５２】
実施形態において、第１の期間におけるデータリソースプールの複数のＰＲＢが、フィードバックリソースプールとして構成または事前構成されるとき、フィードバック情報は、フィードバックリソースプール内の少なくとも１つの送信ＰＲＢにおいてＭＡＣ  ＣＥのフォーマットで通信装置によって送信される。
【０１５３】
有利なことに、フィードバックチャネルについてのフィードバックリソースプールを構成または事前構成することによって、フィードバックチャネルがより良く保護され、通信の信頼性が改善され得る。
【０１５４】
実施形態において、スケジューリング割り当てリソースプールの複数の固定ＰＲＢが、フィードバック情報を送信するために配分され、フィードバック情報は、スケジューリング割り当てリソースプール内の固定ＰＲＢにおいて、サイドリンク制御情報（ＳＣＩ）のフォーマットで送信される。
【０１５５】
有利なことに、フィードバック情報を送信するための固定ＰＲＢを配分することによって、フィードバックの周波数／タイミングが判断され、したがって、ＳＡにおいて明示的に示す必要はなく、それによってＳＡオーバヘッドが節約され得る。また、物理フィードバックレイヤを指定する必要がないため、通信互換性が改善され得る。
【０１５６】
上記説明は、本開示の例示的実施形態に対してであり、限定のためではない。
【０１５７】
さらに、本開示の実施形態は、以下の主題を少なくとも提供し得る。
【０１５８】
（１）サイドリンクを介して通信するように動作可能な通信装置であって、
別の通信装置から送信された複数のトランスポートブロック（ＴＢ）を、第１の期間において受信するように動作可能な受信機と、
複数のフィードバックビットをそれぞれ受信したＴＢについて生成し、フィードバック情報を生成するために、フィードバックビットの数に従って、フィードバックビットの少なくとも一部に対して多重化およびバンドルのうちの少なくとも１つを実行するように動作可能な回路と、を備える、通信装置。
【０１５９】
（２）回路が、生成器を含み、第１の期間において受信されたＴＢについて生成されたフィードバックビットの数が、フィードバックチャネルのペイロードサイズよりも大きいときに、生成器が、フィードバックビットの第１の部分をバンドルしてバンドルされたフィードバックビットを生成し、フィードバックビットの第２の部分を多重化して多重化されたフィードバックビットを生成し、バンドルされたフィードバックビットと多重化されたフィードバックビットとを合成して、フィードバックチャネルにおいて送信されるフィードバック情報を生成するように動作可能であり、フィードバックチャネルにおいて送信されるビット数が、フィードバックチャネルのペイロードサイズよりも大きくない、請求項（１）に記載の通信装置。
【０１６０】
（３）回路が、生成器を含み、フィードバックビットの数が、フィードバックチャネルのペイロードサイズよりも大きいときに、生成器が、フィードバック情報を生成するために、少なくとも２つのフィードバックビットのユニットにおいてフィードバックビットの全てをバンドルするように動作可能であり、フィードバックチャネルにおいて送信されるビット数が、フィードバックチャネルのペイロードサイズよりも大きくない、請求項（１）に記載の通信装置。
【０１６１】
（４）回路が、生成器を含み、フィードバックビットの数が、フィードバックチャネルのペイロードサイズよりも大きくないときに、生成器が、フィードバック情報を生成するために、複数のフィードバックビットを多重化するように動作可能である、請求項（１）に記載の通信装置。
【０１６２】
（５）フィードバック情報を送信するタイミングに従って、フィードバック情報を送信するように動作可能な送信機をさらに備え、
回路が、フィードバック情報を送信するタイミングを判断するように動作可能な判断回路を含む、請求項（１）に記載の通信装置。
【０１６３】
（６）判断回路が、第１の期間において第１のスケジューリング割り当てリソースプール内に受信されたスケジューリング割り当てにおける指示情報に従って、タイミングを判断するように動作可能である、請求項（５）に記載の通信装置。
【０１６４】
（７）判断回路が、第１の期間において受信されたＴＢに配分される第１のスケジューリング割り当てリソースプールのサブフレームおよび物理リソースブロック（ＰＲＢ）のうちの少なくとも１つのインデックスに従って、タイミングを判断するように動作可能である、請求項（５）に記載の通信装置。
【０１６５】
（８）タイミングが、第１の期間後の第２の期間における第２のスケジューリング割り当てリソースプールのサブフレームセット内であると判断回路が判断したとき、送信機が、タイミングに従って、第２のスケジューリング割り当てリソースプール内にサイドリンク制御情報（ＳＣＩ）のフォーマットでフィードバック情報を送信するように動作可能である、請求項（６）または（７）に記載の通信装置。
【０１６６】
（９）判断回路が、タイミングがデータを送信するためのデータリソースプールのサブフレームセット内であると判断するように動作可能であり、送信機が、タイミングに従って、データリソースプール内にメディアアクセス制御（ＭＡＣ）制御要素（ＣＥ）のフォーマットでフィードバック情報を搬送するデータを送信するように動作可能である、請求項（５）に記載の通信装置。
【０１６７】
（１０）判断回路が、タイミングがフィードバックチャネル後のために構成または事前構成されたフィードバックリソースプールのサブフレームセット内であると判断するように動作可能であり、フィードバックリソースプールの少なくとも１つの送信ＰＲＢが、第１の期間において受信された第１のスケジューリング割り当てによって示される、請求項（５）に記載の通信装置。
【０１６８】
（１１）第１の期間後の第２の期間におけるスケジューリング割り当てリソースプールの複数のＰＲＢが、フィードバックリソースプールとして構成または事前構成されると判断回路が判断したとき、送信機が、フィードバックリソースプール内の少なくとも１つの送信ＰＲＢにおいてサイドリンク制御情報（ＳＣＩ）のフォーマットでフィードバック情報を送信するように動作可能である、請求項（１０）に記載の通信装置。
【０１６９】
（１２）第１の期間におけるデータリソースプールの複数のＰＲＢが、フィードバックリソースプールとして構成または事前構成されると判断回路が判断したとき、送信機が、フィードバックリソースプール内の少なくとも１つの送信ＰＲＢにおいてＭＡＣ  ＣＥのフォーマットでフィードバック情報を送信するように動作可能である、請求項（１０）に記載の通信装置。
【０１７０】
（１３）判断回路が、フィードバック情報を送信するために配分されたスケジューリング割り当てリソースプールの複数の固定ＰＲＢを判断するように動作可能であり、送信機が、スケジューリング割り当てリソースプール内の固定ＰＲＢにおいて、サイドリンク制御情報（ＳＣＩ）のフォーマットでフィードバック情報を送信するように動作可能である、請求項（５）に記載の通信装置。
【０１７１】
（１４）サイドリンクを介した通信のための通信方法であって、
別の通信装置から送信された複数のトランスポートブロック（ＴＢ）を、第１の期間において受信することと、
複数のフィードバックビットをそれぞれ第１の期間において受信したＴＢについて生成することと、
フィードバック情報を生成するために、フィードバックビットの数に従って、フィードバックビットの少なくとも一部に対して多重化およびバンドルのうちの少なくとも１つを実行することと、を含む、通信方法。
【０１７２】
（１５）第１の期間において受信されたＴＢについて生成されたフィードバックビットの数が、フィードバックチャネルのペイロードサイズよりも大きいとき、複数のフィードバックビットの少なくとも一部に対して多重化およびバンドルのうちの少なくとも１つを実行するステップは、
フィードバックビットの第１の部分をバンドルして、バンドルされたフィードバックビットを生成することと、
フィードバックビットの第２の部分を多重化して、多重化されたフィードバックビットを生成することと、
バンドルされたフィードバックビットと多重化されたフィードバックビットとを合成して、フィードバックチャネルにおいて送信されるフィードバック情報を生成することと、を含み、
フィードバックチャネルにおいて送信されるビット数が、フィードバックチャネルのペイロードサイズよりも大きくない、請求項（１４）に記載の通信方法。
【０１７３】
（１６）フィードバックビットの数が、フィードバックチャネルのペイロードサイズよりも大きいとき、複数のフィードバックビットの少なくとも一部に対して多重化およびバンドルのうちの少なくとも１つを実行するステップは、
フィードバック情報を生成するために、少なくとも２つのフィードバックビットのユニットでフィードバックビットの全てをバンドルすることを含み、
フィードバックチャネルにおいて送信されるビット数が、フィードバックチャネルのペイロードサイズよりも大きくない、請求項（１４）に記載の通信方法。
【０１７４】
（１７）フィードバックビットの数が、フィードバックチャネルのペイロードサイズよりも大きくないとき、複数のフィードバックビットの少なくとも一部に対して多重化およびバンドルのうちの少なくとも１つを実行するステップは、
フィードバック情報を生成するために、複数のフィードバックビットを多重化することを含む、請求項（１４）に記載の通信方法。
【０１７５】
（１８）フィードバック情報を送信するタイミングを判断することと、
タイミングに従ってフィードバック情報を送信することと、をさらに含む、請求項（１４）に記載の通信方法。
【０１７６】
（１９）フィードバック情報を送信するタイミングを判断するステップが、
第１の期間における第１のスケジューリング割り当てリソースプール内に受信されたスケジューリング割り当てにおける指示情報に従って、タイミングを判断することを含む、請求項（１８）に記載の通信方法。
【０１７７】
（２０）フィードバック情報を送信するタイミングを判断するステップが、
第１の期間において受信されたＴＢに配分される第１のスケジューリング割り当てリソースプールのサブフレームおよび物理リソースブロック（ＰＲＢ）のうちの少なくとも１つのインデックスに従って、タイミングを判断することを含む、請求項（１８）に記載の通信方法。
【０１７８】
（２１）タイミングが、第１の期間後の第２の期間において第２のスケジューリング割り当てリソースプールのサブフレームセット内であるとき、フィードバック情報を送信するステップが、
タイミングに従って、第２のスケジューリング割り当てリソースプール内にサイドリンク制御情報（ＳＣＩ）のフォーマットでフィードバック情報を送信することを含む、請求項（１８）または（１９）に記載の通信方法。
【０１７９】
（２２）タイミングが、データを送信するためのデータリソースプールのサブフレームセット内であると判断されるとき、フィードバック情報を送信するステップが、
タイミングに従って、データリソースプール内にメディアアクセス制御（ＭＡＣ）制御要素（ＣＥ）のフォーマットでフィードバック情報を搬送するデータを送信することを含む、請求項（１８）に記載の通信方法。
【０１８０】
（２３）フィードバックチャネルについてフィードバックリソースプールを構成または事前構成することをさらに含み、
タイミングが、フィードバックリソースプールのサブフレームセット内であると判断され、フィードバックリソースプールの少なくとも１つの送信ＰＲＢが、第１の期間において受信された第１のスケジューリング割り当てによって示される、請求項（１８）に記載の通信方法。
【０１８１】
（２４）フィードバックチャネルについてフィードバックリソースプールを構成または事前構成するステップが、
フィードバックリソースプールとして第１の期間後の第２の期間においてスケジューリング割り当てリソースプールの複数のＰＲＢを構成または事前構成することを含み、
フィードバック情報通信方法を送信するステップが、
フィードバックリソースプール内の少なくとも１つの送信ＰＲＢにおいてのサイドリンク制御情報（ＳＣＩ）のフォーマットでフィードバック情報を送信することを含む、請求項（２３）に記載の通信方法。
【０１８２】
（２５）フィードバックチャネルについてフィードバックリソースプールを構成または事前構成するステップが、
フィードバックリソースプールとして第１の期間においてデータリソースプールの複数のＰＲＢを構成または事前構成することを含み、
フィードバック情報を送信するステップが、
フィードバックリソースプール内の少なくとも１つの送信ＰＲＢにおいてＭＡＣ  ＣＥのフォーマットでフィードバック情報を送信することを含む、請求項（２３）に記載の通信方法。
【０１８３】
（２６）フィードバック情報を送信するために配分されるスケジューリング割り当てリソースプールの複数の固定ＰＲＢを判断することをさらに含み、
フィードバック情報を送信するステップが、
スケジューリング割り当てリソースプール内の固定ＰＲＢにおいて、サイドリンク制御情報（ＳＣＩ）のフォーマットでフィードバック情報を送信することを含む、請求項（１８）に記載の通信方法。
【０１８４】
（２７）サイドリンクを介して通信するように動作可能な通信装置であって、
複数の送信ブロック（ＴＢ）を別の通信装置に送信するように動作可能な送信機と、
別の通信装置からフィードバック情報を受信するように動作可能な受信機と、
フィードバック情報に応答して、ＴＢの一部を再送信するように送信機を制御するように動作可能な回路と、を備え、
フィードバック情報が、別の通信装置によって、フィードバックビットの数に従って複数のフィードバックビットの少なくとも一部に対して多重化およびバンドルのうちの少なくとも１つを実行することにより生成され、フィードバックビットが、第１の期間において別の通信装置によって受信されるＴＢについてそれぞれ生成される、通信装置。
【０１８５】
（２８）第１の期間において受信されるフィードバックビットの数が、フィードバックチャネルのペイロードサイズよりも大きいときに、別の通信装置が、フィードバックビットの第１の部分をバンドルしてバンドルされたフィードバックビットを生成し、フィードバックビットの第２の部分を多重化して多重化されたフィードバックビットを生成し、バンドルされたフィードバックビットと多重化されたフィードバックビットとを合成して、フィードバック情報を生成し、送信機が、フィードバックチャネルからフィードバック情報を受信し、フィードバックチャネルから受信されるビット数が、フィードバックチャネルのペイロードサイズよりも大きくない、請求項（２７）に記載の通信装置。
【０１８６】
（２９）フィードバックビットの数が、フィードバックチャネルのペイロードサイズよりも大きいときに、別の通信装置が、少なくとも２つのフィードバックビットのユニットにおいてフィードバックビットの全てをバンドルし、送信機が、フィードバックチャネルからフィードバック情報を受信し、フィードバックチャネルから受信されるビット数が、フィードバックチャネルのペイロードサイズよりも大きくない、請求項（２７）に記載の通信装置。
【０１８７】
（３０）フィードバックビットの数が、フィードバックチャネルのペイロードサイズよりも大きくないときに、別の通信装置が、フィードバック情報を生成するために、複数のフィードバックビットを多重化する、請求項（２７）に記載の通信装置。
【０１８８】
（３１）別の通信装置が、タイミングに従ってフィードバック情報を送信する、請求項（２７）に記載の通信装置。
【０１８９】
（３２）別の通信装置が、第１の期間において第１のスケジューリング割り当てリソースプール内に受信されたスケジューリング割り当てにおける指示情報に従って、タイミングを判断する、請求項（３１）に記載の通信装置。
【０１９０】
（３３）別の通信装置が、第１の期間において受信されたＴＢに配分される第１のスケジューリング割り当てリソースプールのサブフレームおよび物理リソースブロック（ＰＲＢ）のうちの少なくとも１つのインデックスに従って、タイミングを判断する、請求項（３１）に記載の通信装置。
【０１９１】
（３４）タイミングが、第１の期間後の第２の期間における第２のスケジューリング割り当てリソースプールのサブフレームセット内であると別の通信装置が判断したとき、別の通信装置が、タイミングに従って、第２のスケジューリング割り当てリソースプール内にサイドリンク制御情報（ＳＣＩ）のフォーマットでフィードバック情報を送信するように動作可能である、請求項（３２）または（３３）に記載の通信装置。
【０１９２】
（３５）別の通信装置が、タイミングがデータを送信するためのデータリソースプールのサブフレームセット内であると判断し、別の通信装置が、タイミングに従ってデータリソースプール内で、メディアアクセス制御（ＭＡＣ）制御要素（ＣＥ）のフォーマットでフィードバック情報を搬送するデータを送信するように動作可能である、請求項（３１）に記載の通信装置。
【０１９３】
（３６）別の通信装置が、タイミングがフィードバックチャネルのために構成または事前構成されたフィードバックリソースプールのサブフレームセット内であると判断し、フィードバックリソースプールの少なくとも１つの送信ＰＲＢが、第１の期間において別の通信装置によって受信された第１のスケジューリング割り当てによって示される、請求項（３１）に記載の通信装置。
【０１９４】
（３７）第１の期間後の第２の期間におけるスケジューリング割り当てリソースプールの複数のＰＲＢが、フィードバックリソースプールとして構成または事前構成されるとき、別の通信装置が、フィードバックリソースプール内の少なくとも１つの送信ＰＲＢにおいてサイドリンク制御情報（ＳＣＩ）のフォーマットでフィードバック情報を送信する、請求項（３６）に記載の通信装置。
【０１９５】
（３８）第１の期間におけるデータリソースプールの複数のＰＲＢが、フィードバックリソースプールとして構成または事前構成されるとき、別の通信装置が、フィードバックリソースプール内の少なくとも１つの送信ＰＲＢにおいてＭＡＣ  ＣＥのフォーマットでフィードバック情報を送信する、請求項（３６）に記載の通信装置。
【０１９６】
（３９）スケジューリング割り当てリソースプールの複数の固定ＰＲＢが、フィードバック情報を送信するために配分され、別の通信装置が、スケジューリング割り当てリソースプール内の固定ＰＲＢにおいて、サイドリンク制御情報（ＳＣＩ）のフォーマットでフィードバック情報を送信する、請求項（３１）に記載の通信装置。
【０１９７】
（４０）サイドリンクを介した通信のための通信方法であって、
複数の送信ブロック（ＴＢ）を通信装置に送信することと、
通信装置からフィードバック情報を受信することと、
フィードバック情報に応答して、ＴＢの一部を再送信するように送信機を制御することと、を含み、
フィードバック情報が、通信装置によって、フィードバックビットの数に従って複数のフィードバックビットの少なくとも一部に対して多重化およびバンドルのうちの少なくとも１つを実行することにより生成され、フィードバックビットが、第１の期間において通信装置によって受信されるＴＢについてそれぞれ生成される、通信方法。
【０１９８】
（４１）第１の期間において通信装置によって受信されるフィードバックビットの数が、フィードバックチャネルのペイロードサイズよりも大きいときに、フィードバック情報が、フィードバックビットの第１の部分をバンドルしてバンドルされたフィードバックビットを生成すること、フィードバックビットの第２の部分を多重化して多重化されたフィードバックビットを生成すること、およびバンドルされたフィードバックビットと多重化されたフィードバックビットとを合成することによって、生成され、フィードバック情報が、フィードバックチャネルから受信され、フィードバックチャネルから受信されるビット数が、フィードバックチャネルのペイロードサイズよりも大きくない、請求項（４０）に記載の通信方法。
【０１９９】
（４２）フィードバックビットの数が、フィードバックチャネルのペイロードサイズよりも大きいときに、フィードバック情報が、少なくとも２つのフィードバックビットのユニットにおいてフィードバックビットの全てをバンドルすることによって生成され、フィードバック情報が、フィードバックチャネルから送信機によって受信され、フィードバックチャネルから受信されるビット数が、フィードバックチャネルのペイロードサイズよりも大きくない、請求項（４０）に記載の通信方法。
【０２００】
（４３）フィードバックビットの数が、フィードバックチャネルのペイロードサイズよりも大きくないとき、フィードバック情報が、複数のフィードバックビットを多重化することによって生成される、請求項（４０）に記載の通信方法。
【０２０１】
（４４）フィードバック情報が、タイミングに従って通信装置によって送信される、請求項（４０）に記載の通信方法。
【０２０２】
（４５）タイミングが、第１の期間において第１のスケジューリング割り当てリソースプール内に通信装置によって受信されたスケジューリング割り当てにおける指示情報に従って判断される、請求項（４４）に記載の通信方法。
【０２０３】
（４６）タイミングが、第１の期間において通信装置によって受信されたＴＢに配分される第１のスケジューリング割り当てリソースプールのサブフレームおよび物理リソースブロック（ＰＲＢ）のうちの少なくとも１つのインデックスに従って判断される、請求項（４４）に記載の通信方法。
【０２０４】
（４７）タイミングが、第１の期間後の第２の期間における第２のスケジューリング割り当てリソースプールのサブフレームセット内であると判断されるとき、フィードバック情報が、タイミングに従って第２のスケジューリング割り当てリソースプール内にサイドリンク制御情報（ＳＣＩ）のフォーマットで、通信装置により送信される、請求項（４５）または（４６）に記載の通信方法。
【０２０５】
（４８）タイミングが、通信装置によりデータを送信するためのデータリソースプールのサブフレームセット内であると判断され、通信装置が、タイミングに従ってデータリソースプール内で、メディアアクセス制御（ＭＡＣ）制御要素（ＣＥ）のフォーマットでフィードバック情報を搬送するデータを送信するように動作可能である、請求項（４４）に記載の通信方法。
【０２０６】
（４９）タイミングが、フィードバックチャネルについて構成または事前構成されたフィードバックリソースプールのサブフレームセット内であると判断され、フィードバックリソースプールの少なくとも１つの送信ＰＲＢが、第１の期間において通信装置により受信された第１のスケジューリング割り当てによって示される、請求項（４４）に記載の通信方法。
【０２０７】
（５０）第１の期間後の第２の期間におけるスケジューリング割り当てリソースプールの複数のＰＲＢが、フィードバックリソースプールとして構成または事前構成されるとき、フィードバック情報が、フィードバックリソースプール内の少なくとも１つの送信ＰＲＢにおいてサイドリンク制御情報（ＳＣＩ）のフォーマットで、通信装置により送信される、請求項（４９）に記載の通信方法。
【０２０８】
（５１）第１の期間におけるデータリソースプールの複数のＰＲＢが、フィードバックリソースプールとして構成または事前構成されるとき、フィードバック情報が、フィードバックリソースプール内の少なくとも１つの送信ＰＲＢにおいてＭＡＣ  ＣＥのフォーマットで、通信装置により送信される、請求項（４９）に記載の通信方法。
【０２０９】
（５２）スケジューリング割り当てリソースプールの複数の固定ＰＲＢが、フィードバック情報を送信するために配分され、フィードバック情報が、スケジューリング割り当てリソースプール内の固定ＰＲＢにおいて、サイドリンク制御情報（ＳＣＩ）のフォーマットで通信装置により送信される、請求項（４４）に記載の通信方法。
【０２１０】
（５３）サイドリンクを介して通信するように動作可能な通信装置であって、
第１の期間に複数のトランスポートブロック（ＴＢ）を受信するように動作可能な受信機と、
受信したＴＢに従ってフィードバック情報を生成し、フィードバック情報を送信するタイミングを判断するように動作可能な回路と、
タイミングに従ってフィードバック情報を送信するように動作可能な送信機と、を備える、通信装置。
【０２１１】
（５４）回路が、第１の期間において第１のスケジューリング割り当てリソースプール内に受信されたスケジューリング割り当てにおける指示情報に従って、タイミングを判断するように動作可能な判断回路を含む、請求項（５３）に記載の通信装置。
【０２１２】
（５５）回路が、第１の期間において受信されたＴＢに配分される第１のスケジューリング割り当てリソースプールのサブフレームおよび物理リソースブロック（ＰＲＢ）のうちの少なくとも１つのインデックスに従って、タイミングを判断するように動作可能な判断回路を含む、請求項（５３）に記載の通信装置。
【０２１３】
（５６）タイミングが、第１の期間後の第２の期間における第２のスケジューリング割り当てリソースプールのサブフレームセット内であると判断回路が判断したとき、送信機が、タイミングに従って、第２のスケジューリング割り当てリソースプール内にサイドリンク制御情報（ＳＣＩ）のフォーマットでフィードバック情報を送信するように動作可能である、請求項（５４）または（５５）に記載の通信装置。
【０２１４】
（５７）判断回路が、タイミングがデータを送信するためのデータリソースプールのサブフレームセット内であると判断するように動作可能であり、送信機が、タイミングに従って、データリソースプール内にメディアアクセス制御（ＭＡＣ）制御要素（ＣＥ）のフォーマットでフィードバック情報を搬送するデータを送信するように動作可能である、請求項（５３）に記載の通信装置。
【０２１５】
（５８）判断回路が、タイミングがフィードバックチャネルのために構成または事前構成されたフィードバックリソースプールのサブフレームセット内であると判断するように動作可能であり、フィードバックリソースプールの少なくとも１つの送信ＰＲＢが、第１の期間において受信された第１のスケジューリング割り当てによって示される、請求項（５３）に記載の通信装置。
【０２１６】
（５９）第１の期間後の第２の期間におけるスケジューリング割り当てリソースプールの複数のＰＲＢが、フィードバックリソースプールとして構成または事前構成されると判断回路が判断したとき、送信機が、フィードバックリソースプール内の少なくとも１つの送信ＰＲＢにおいてサイドリンク制御情報（ＳＣＩ）のフォーマットでフィードバック情報を送信するように動作可能である、請求項（５８）に記載の通信装置。
【０２１７】
（６０）第１の期間におけるデータリソースプールの複数のＰＲＢが、フィードバックリソースプールとして構成または事前構成されると判断回路が判断したとき、送信機が、フィードバックリソースプール内の少なくとも１つの送信ＰＲＢにおいてＭＡＣ  ＣＥのフォーマットでフィードバック情報を送信するように動作可能である、請求項（５８）に記載の通信装置。
【０２１８】
（６１）判断回路が、フィードバック情報を送信するために配分されたスケジューリング割り当てリソースプールの複数の固定ＰＲＢを判断するように動作可能であり、送信機が、スケジューリング割り当てリソースプール内の固定ＰＲＢにおいて、サイドリンク制御情報（ＳＣＩ）のフォーマットでフィードバック情報を送信するように動作可能である、請求項（５３）に記載の通信装置。
【０２１９】
（６２）回路が、複数のフィードバックビットをそれぞれ第１の期間において受信したＴＢについて生成し、フィードバック情報を生成するために、フィードバックビットの数に従って、フィードバックビットの少なくとも一部に対して多重化およびバンドルのうちの少なくとも１つを実行するように動作可能である生成器を含む、請求項（５３）に記載の通信装置。
【０２２０】
（６３）第１の期間において受信されたＴＢについて生成されたフィードバックビットの数が、フィードバックチャネルのペイロードサイズよりも大きいときに、生成器が、フィードバックビットの第１の部分をバンドルしてバンドルされたフィードバックビットを生成し、フィードバックビットの第２の部分を多重化して多重化されたフィードバックビットを生成し、バンドルされたフィードバックビットと多重化されたフィードバックビットとを合成して、フィードバックチャネルにおいて送信されるフィードバック情報を生成し、フィードバックチャネルにおいて送信されるビット数が、フィードバックチャネルのペイロードサイズよりも大きくない、請求項（６２）に記載の通信装置。
【０２２１】
（６４）フィードバックビットの数が、フィードバックチャネルのペイロードサイズよりも大きいときに、生成器が、フィードバック情報を生成するために、少なくとも２つのフィードバックビットのユニットにおいてフィードバックビットの全てをバンドルし、フィードバックチャネルにおいて送信されるビット数が、フィードバックチャネルのペイロードサイズよりも大きくない、請求項（６２）に記載の通信装置。
【０２２２】
（６５）フィードバックビットの数が、フィードバックチャネルのペイロードサイズよりも大きくないときに、生成器が、フィードバック情報を生成するために、複数のフィードバックビットを多重化する、請求項（６２）に記載の通信装置。
【０２２３】
（６６）サイドリンクを介して通信するための通信方法であって、
第１の期間において複数のトランスポートブロック（ＴＢ）を受信することと、
受信したＴＢに従ってフィードバック情報を生成することと、
フィードバック情報を送信するタイミングを判断することと、
タイミングに従ってフィードバック情報を送信することと、を含む、通信方法。
【０２２４】
（６７）フィードバック情報を送信するタイミングを判断するステップが、
第１の期間における第１のスケジューリング割り当てリソースプール内に受信されたスケジューリング割り当てにおける指示情報に従って、タイミングを判断することを含む、請求項（６６）に記載の通信方法。
【０２２５】
（６８）フィードバック情報を送信するタイミングを判断するステップが、
第１の期間において受信されたＴＢに配分される第１のスケジューリング割り当てリソースプールのサブフレームおよび物理リソースブロック（ＰＲＢ）のうちの少なくとも１つのインデックスに従って、タイミングを判断することを含む、請求項（６６）に記載の通信方法。
【０２２６】
（６９）タイミングが、第１の期間後の第２の期間において第２のスケジューリング割り当てリソースプールのサブフレームセット内であると判断されるとき、フィードバック情報を送信するステップが、
タイミングに従って、第２のスケジューリング割り当てリソースプール内にサイドリンク制御情報（ＳＣＩ）のフォーマットでフィードバック情報を送信することを含む、請求項（６７）または（６８）に記載の通信方法。
【０２２７】
（７０）タイミングが、データを送信するためのデータリソースプールのサブフレームセット内であると判断されるとき、フィードバック情報を送信するステップが、
タイミングに従って、データリソースプール内にメディアアクセス制御（ＭＡＣ）制御要素（ＣＥ）のフォーマットでフィードバック情報を搬送するデータを送信することを含む、請求項（６６）に記載の通信方法。
【０２２８】
（７１）フィードバックチャネルについてフィードバックリソースプールを構成または事前構成することをさらに含み、
タイミングが、フィードバックリソースプールのサブフレームセット内であると判断され、フィードバックリソースプールの少なくとも１つの送信ＰＲＢが、第１の期間において受信された第１のスケジューリング割り当てによって示される、請求項（６６）に記載の通信方法。
【０２２９】
（７２）フィードバックチャネルについてフィードバックリソースプールを構成または事前構成するステップが、
フィードバックリソースプールとして第１の期間後の第２の期間においてスケジューリング割り当てリソースプールの複数のＰＲＢを構成または事前構成することを含み、
フィードバック情報通信方法を送信するステップが、
フィードバックリソースプール内の少なくとも１つの送信ＰＲＢにおいて、サイドリンク制御情報（ＳＣＩ）のフォーマットでフィードバック情報を送信することを含む、請求項（７１）に記載の通信方法。
【０２３０】
（７３）フィードバックチャネルについてフィードバックリソースプールを構成または事前構成するステップが、
フィードバックリソースプールとして第１の期間においてデータリソースプールの複数のＰＲＢを構成または事前構成することを含み、
フィードバック情報を送信するステップが、
フィードバックリソースプール内の少なくとも１つの送信ＰＲＢにおいてＭＡＣ  ＣＥのフォーマットでフィードバック情報を送信することを含む、請求項（７１）に記載の通信方法。
【０２３１】
（７４）フィードバック情報を送信するために配分されるスケジューリング割り当てリソースプールの複数の固定ＰＲＢを判断することをさらに含み、
フィードバック情報を送信するステップが、
スケジューリング割り当てリソースプール内の固定ＰＲＢにおいて、サイドリンク制御情報（ＳＣＩ）のフォーマットでフィードバック情報を送信することを含む、請求項（６６）に記載の通信方法。
【０２３２】
（７５）フィードバック情報を生成するために、フィードバックビットの数に従って、フィードバックビットの少なくとも一部に対して多重化およびバンドルのうちの少なくとも１つを実行することをさらに含む、請求項（６６）に記載の通信方法。
【０２３３】
（７６）第１の期間において受信されたＴＢについて生成されたフィードバックビットの数が、フィードバックチャネルのペイロードサイズよりも大きいとき、複数のフィードバックビットの少なくとも一部に対して多重化およびバンドルのうちの少なくとも１つを実行するステップが、
フィードバックビットの第１の部分をバンドルして、バンドルされたフィードバックビットを生成することと、
フィードバックビットの第２の部分を多重化して、多重化されたフィードバックビットを生成することと、
バンドルされたフィードバックビットと多重化されたフィードバックビットとを合成して、フィードバックチャネルにおいて送信されるフィードバック情報を生成することと、を含み、
フィードバックチャネルにおいて送信されるビット数が、フィードバックチャネルのペイロードサイズよりも大きくない、請求項（７５）に記載の通信方法。
【０２３４】
（７７）フィードバックビットの数が、フィードバックチャネルのペイロードサイズよりも大きいとき、複数のフィードバックビットの少なくとも一部に対して多重化およびバンドルのうちの少なくとも１つを実行するステップが、
フィードバック情報を生成するために、少なくとも２つのフィードバックビットのユニットでフィードバックビットの全てをバンドルすることを含み、
フィードバックチャネルにおいて送信されるビット数が、フィードバックチャネルのペイロードサイズよりも大きくない、請求項（７５）に記載の通信方法。
【０２３５】
（７８）フィードバックビットの数が、フィードバックチャネルのペイロードサイズよりも大きくないとき、複数のフィードバックビットの少なくとも一部に対して多重化およびバンドルのうちの少なくとも１つを実行するステップが、
フィードバック情報を生成するために、複数のフィードバックビットを多重化することを含む、請求項（７５）に記載の通信方法。
【０２３６】
（７９）サイドリンクを介して通信するように動作可能な通信装置であって、
複数の送信ブロック（ＴＢ）を別の通信装置に送信するように動作可能な送信機と、
別の通信装置からフィードバック情報を受信するように動作可能な受信機と、
フィードバック情報に応答して、ＴＢの一部を再送信するように送信機を制御するように動作可能な回路と、を備え、
別の通信装置が、タイミングに従ってフィードバック情報を送信する、通信装置。
【０２３７】
（８０）別の通信装置が、第１の期間において第１のスケジューリング割り当てリソースプール内に受信されたスケジューリング割り当てにおける指示情報に従って、タイミングを判断する、請求項（７９）に記載の通信装置。
【０２３８】
（８１）別の通信装置が、第１の期間において受信されたＴＢに配分される第１のスケジューリング割り当てリソースプールのサブフレームおよび物理リソースブロック（ＰＲＢ）のうちの少なくとも１つのインデックスに従って、タイミングを判断する、請求項（７９）に記載の通信装置。
【０２３９】
（８２）タイミングが、第１の期間後の第２の期間における第２のスケジューリング割り当てリソースプールのサブフレームセット内であると別の通信装置が判断したとき、別の通信装置が、タイミングに従って、第２のスケジューリング割り当てリソースプール内にサイドリンク制御情報（ＳＣＩ）のフォーマットでフィードバック情報を送信するように動作可能である、請求項（７８）または（７９）に記載の通信装置。
【０２４０】
（８３）別の通信装置が、タイミングが、別の通信装置によってデータを送信するためのデータリソースプールのサブフレームセット内であると判断し、別の通信装置が、タイミングに従ってデータリソースプール内で、メディアアクセス制御（ＭＡＣ）制御要素（ＣＥ）のフォーマットでフィードバック情報を搬送するデータを送信するように動作可能である、請求項（７９）に記載の通信装置。
【０２４１】
（８４）別の通信装置が、タイミングがフィードバックチャネルのために構成または事前構成されたフィードバックリソースプールのサブフレームセット内であると判断し、フィードバックリソースプールの少なくとも１つの送信ＰＲＢが、第１の期間において受信された第１のスケジューリング割り当てによって示される、請求項（７９）に記載の通信装置。
【０２４２】
（８５）第１の期間後の第２の期間におけるスケジューリング割り当てリソースプールの複数のＰＲＢが、フィードバックリソースプールとして構成または事前構成されるとき、別の通信装置が、フィードバックリソースプール内の少なくとも１つの送信ＰＲＢにおいてサイドリンク制御情報（ＳＣＩ）のフォーマットでフィードバック情報を送信する、請求項（８４）に記載の通信装置。
【０２４３】
（８６）第１の期間におけるデータリソースプールの複数のＰＲＢが、フィードバックリソースプールとして構成または事前構成されるとき、別の通信装置が、フィードバックリソースプール内の少なくとも１つの送信ＰＲＢにおいてＭＡＣ  ＣＥのフォーマットでフィードバック情報を送信する、請求項（８４）に記載の通信装置。
【０２４４】
（８７）スケジューリング割り当てリソースプールの複数の固定ＰＲＢが、フィードバック情報を送信するために配分され、別の通信装置が、スケジューリング割り当てリソースプール内の固定ＰＲＢにおいて、サイドリンク制御情報（ＳＣＩ）のフォーマットでフィードバック情報を送信する、請求項（７９）に記載の通信装置。
【０２４５】
（８８）別の通信装置が、フィードバックビットの数に従って複数のフィードバックビットの少なくとも一部に対して多重化およびバンドルのうちの少なくとも１つを実行することにより、フィードバック情報を生成し、フィードバックビットが、第１の期間において別の通信装置によって受信されるＴＢについてそれぞれ生成される、請求項（７９）に記載の通信装置。
【０２４６】
（８９）フィードバックビットの数が、フィードバックチャネルのペイロードサイズよりも大きいときに、別の通信装置が、フィードバックビットの第１の部分をバンドルしてバンドルされたフィードバックビットを生成し、フィードバックビットの第２の部分を多重化して多重化されたフィードバックビットを生成し、バンドルされたフィードバックビットと多重化されたフィードバックビットとを合成して、フィードバック情報を生成し、送信機が、フィードバックチャネルからフィードバック情報を受信し、フィードバックチャネルから受信されるビット数が、フィードバックチャネルのペイロードサイズよりも大きくない、請求項（８８）に記載の通信装置。
【０２４７】
（９０）フィードバックビットの数が、フィードバックチャネルのペイロードサイズよりも大きいときに、別の通信装置が、フィードバック情報を生成するために、少なくとも２つのフィードバックビットのユニットにおいてフィードバックビットの全てをバンドルし、フィードバック情報が、フィードバックチャネルから送信機によって受信され、フィードバックチャネルから受信されるビット数が、フィードバックチャネルのペイロードサイズよりも大きくない、請求項（８８）に記載の通信装置。
【０２４８】
（９１）フィードバックビットの数が、フィードバックチャネルのペイロードサイズよりも大きくないときに、別の通信装置が、フィードバック情報を生成するために、複数のフィードバックビットを多重化する、請求項（８８）に記載の通信装置。
【０２４９】
（９２）サイドリンクを介して通信するための通信方法であって、
送信機によって、複数の送信ブロック（ＴＢ）を通信装置に送信することと、
通信装置からフィードバック情報を受信することと、
通信装置から送信されるフィードバック情報に応答して、ＴＢの一部を再送信するように送信機を制御することと、を含み、
フィードバック情報が、タイミングに従って通信装置から送信される、通信方法。
【０２５０】
（９３）タイミングが、第１の期間において第１のスケジューリング割り当てリソースプール内に通信装置によって受信されたスケジューリング割り当てにおける指示情報に従って判断される、請求項（９２）に記載の通信方法。
【０２５１】
（９４）タイミングが、第１の期間において通信装置によって受信されたＴＢに配分される第１のスケジューリング割り当てリソースプールのサブフレームおよび物理リソースブロック（ＰＲＢ）のうちの少なくとも１つのインデックスに従って判断される、請求項（９２）に記載の通信方法。
【０２５２】
（９５）タイミングが、第１の期間後の第２の期間における第２のスケジューリング割り当てリソースプールのサブフレームセット内であると判断されるとき、フィードバック情報が、タイミングに従って第２のスケジューリング割り当てリソースプール内にサイドリンク制御情報（ＳＣＩ）のフォーマットで、通信装置により送信される、請求項（９３）または（９４）に記載の通信方法。
【０２５３】
（９６）タイミングが、通信装置によりデータを送信するためのデータリソースプールのサブフレームセット内であると判断され、通信装置が、タイミングに従ってデータリソースプール内で、メディアアクセス制御（ＭＡＣ）制御要素（ＣＥ）のフォーマットでフィードバック情報を搬送するデータを送信するように動作可能である、請求項（９２）に記載の通信方法。
【０２５４】
（９７）タイミングが、フィードバックチャネルについて構成または事前構成されたフィードバックリソースプールのサブフレームセット内であると判断され、フィードバックリソースプールの少なくとも１つの送信ＰＲＢが、第１の期間において送信機により送信された第１のスケジューリング割り当てによって示される、請求項（９２）に記載の通信方法。
【０２５５】
（９８）第１の期間後の第２の期間におけるスケジューリング割り当てリソースプールの複数のＰＲＢが、フィードバックリソースプールとして構成または事前構成されるとき、フィードバック情報が、フィードバックリソースプール内の少なくとも１つの送信ＰＲＢにおいてサイドリンク制御情報（ＳＣＩ）のフォーマットで、通信装置により送信される、請求項（９７）に記載の通信方法。
【０２５６】
（９９）第１の期間におけるデータリソースプールの複数のＰＲＢが、フィードバックリソースプールとして構成または事前構成されるとき、フィードバック情報が、フィードバックリソースプール内の少なくとも１つの送信ＰＲＢにおいてＭＡＣ  ＣＥのフォーマットで、通信装置により送信される、請求項（９７）に記載の通信方法。
【０２５７】
（１００）スケジューリング割り当てリソースプールの複数の固定ＰＲＢが、フィードバック情報を送信するために配分され、フィードバック情報が、スケジューリング割り当てリソースプール内の固定ＰＲＢにおいて、サイドリンク制御情報（ＳＣＩ）のフォーマットで送信される、請求項（９２）に記載の通信方法。
【０２５８】
（１０１）フィードバック情報が、通信装置によって、フィードバックビットの数に従って複数のフィードバックビットの少なくとも一部に対して多重化およびバンドルのうちの少なくとも１つを実行することにより、生成され、フィードバックビットが、第１の期間において受信されるＴＢについてそれぞれ生成される、請求項（９２）に記載の通信方法。
【０２５９】
（１０２）フィードバックビットの数が、フィードバックチャネルのペイロードサイズよりも大きいときに、フィードバック情報が、フィードバックビットの第１の部分をバンドルしてバンドルされたフィードバックビットを生成すること、フィードバックビットの第２の部分を多重化して多重化されたフィードバックビットを生成すること、およびバンドルされたフィードバックビットと多重化されたフィードバックビットとを合成することによって、生成され、フィードバック情報が、フィードバックチャネルから送信機によって受信され、フィードバックチャネルから受信されるビット数が、フィードバックチャネルのペイロードサイズよりも大きくない、請求項（１０１）に記載の通信方法。
【０２６０】
（１０３）フィードバックビットの数が、フィードバックチャネルのペイロードサイズよりも大きいときに、フィードバック情報が、少なくとも２つのフィードバックビットのユニットにおいてフィードバックビットの全てをバンドルすることによって生成され、フィードバック情報が、フィードバックチャネルから送信機によって受信され、フィードバックチャネルから受信されるビット数が、フィードバックチャネルのペイロードサイズよりも大きくない、請求項（１０１）に記載の通信方法。
【０２６１】
（１０４）フィードバックビットの数が、フィードバックチャネルのペイロードサイズよりも大きくないとき、フィードバック情報が、複数のフィードバックビットを多重化することによって生成される、請求項（１０１）に記載の通信方法。
【０２６２】
本開示は、ソフトウェア、ハードウェア、またはハードウェアと協調するソフトウェアによって実現され得る。上述した各実施形態の説明において使用される各機能ブロックは、集積回路などのＬＳＩによって部分的に、または全体的に実現され得る。各実施形態において説明される各プロセスは、同一のＬＳＩまたはＬＳＩの組み合わせによって部分的に、または全体的に制御され得る。ＬＳＩは、チップとして個別に形成されてもよく、または１つのチップが、機能ブロックのうちの一部または全てを含むように形成されてもよい。ＬＳＩは、データ入力およびそれに連結される出力を含んでもよい。ここでのＬＳＩは、集積度の差に応じて、ＩＣ、システムＬＳＩ、スーパーＬＳＩ、またはウルトラＬＳＩと呼ばれ得る。しかしながら、集積回路を実装する技術は、ＬＳＩに限定されず、専用回路、汎用プロセッサ、または専用プロセッサを用いることによって実現されてもよい。さらに、ＬＳＩの製造後にプログラムされ得るＦＰＧＡ（フィールドプログラマブルゲートアレイ）、またはＬＳＩの内部に配置される回路セルの接続および設定が再構成され得る再構成可能なプロセッサが使用されてもよい。本開示は、デジタル処理またはアナログ処理として実現され得る。半導体技術または他の派生技術の進歩の結果として、将来の集積回路技術がＬＳＩを置換する場合、機能ブロックは、将来の集積回路技術を用いて統合され得る。バイオテクノロジーもまた適用され得る。
【０２６３】
本開示の複数の実施形態の例が、特定の実施形態の添付された図を参照して、上記で詳細に説明されている。当然のことながら、コンポーネントまたは技術のあらゆる考えられる組み合わせを説明することはできないため、当業者は、本開示の範囲から逸脱することなく、上述した実施形態に対して様々な修正が行われ得ると理解するであろう。例えば、上記実施形態は、第３世代パートナーシッププロジェクト（３ＧＰＰ）ネットワークの一部を参照して説明されるが、本開示の実施形態は、類似の機能コンポーネントを有する３ＧＰＰネットワークの後継などの類似のネットワークに適用可能でもあると、容易に理解される。
【０２６４】
したがって、特に、３ＧＰＰという用語、ならびに上記説明ならびに添付図面および任意の添付の特許請求の範囲において使用される関連または関係用語は、現在または将来的に、それに応じて解釈されるものとする。
【０２６５】
本開示は、ソフトウェア、ハードウェア、またはハードウェアと協調するソフトウェアによって実現され得る。上述した各実施形態の説明において使用される各機能ブロックは、集積回路としてＬＳＩによって実現され得る。各実施形態において説明される各プロセスは、ＬＳＩによって制御され得る。ＬＳＩは、チップとして個別に形成されてもよく、または１つのチップが、機能ブロックのうちの一部または全てを含むように形成されてもよい。ＬＳＩは、データ入力およびそれに連結される出力を含んでもよい。ここでのＬＳＩは、集積度の差に応じて、ＩＣ、システムＬＳＩ、スーパーＬＳＩ、またはウルトラＬＳＩと呼ばれ得る。しかしながら、集積回路を実装する技術は、ＬＳＩに限定されず、専用回路、または汎用プロセッサを用いることによって実現されてもよい。さらに、ＬＳＩの製造後にプログラムされ得るＦＰＧＡ（フィールドプログラマブルゲートアレイ）、またはＬＳＩの内部に配置される回路セルの接続および設定が再構成され得る再構成可能なプロセッサが使用されてもよい。
【０２６６】
特に、開示された開示の修正および他の実施形態が、前述の説明および関連する図面に提示される教示の恩恵を有する当業者には想到する。したがって、開示は、開示される特定の実施形態に限定されるものではなく、修正および他の実施形態は、本開示の範囲内に含まれるように意図されると理解されるべきである。特定の用語が、本明細書において使用され得るが、それらは、限定の目的ではなく、一般的かつ説明的な意味において使用されている。
【図１Ａ】
2020528225.tif 000003
【図１Ｂ】
2020528225.tif 000004
【図２Ａ】
2020528225.tif 000005
【図２Ｂ】
2020528225.tif 000006
【図３】
2020528225.tif 000007
【図４Ａ】
2020528225.tif 000008
【図４Ｂ】
2020528225.tif 000009
【図４Ｃ】
2020528225.tif 000010
【図５Ａ】
2020528225.tif 000011
【図５Ｂ】
2020528225.tif 000012
【図６】
2020528225.tif 000013
【図７】
2020528225.tif 000014
【図８Ａ】
2020528225.tif 000015
【図８Ｂ】
2020528225.tif 000016
【図９】
2020528225.tif 000017
【図１０】
2020528225.tif 000018
【図１１】
2020528225.tif 000019
【図１２】
2020528225.tif 000020
【図１３】
2020528225.tif 000021
【図１４】
2020528225.tif 000022
【図１５】
2020528225.tif 000023
【国際調査報告】
2020528225.tif 000024
2020528225.tif 000025